(57)【要約】【課題】従来の磁気治療装置、及び、マイナスイオン治療装置よりも、さらに、治療効果が向上されて効くようにした磁気マイナスイオン治療システムを提供すること。【解決手段】磁気マイナスイオン治療システム１は、磁気を発生する磁気発生装置３と、マイナスイオンを発生するマイナスイオン発生装置４と、を備えている。磁気マイナスイオン治療システム１は、磁気発生装置３によって発生される磁気と、マイナスイオン発生装置４によって発生されるマイナスイオンと、導電性の布で縫製した導電性衣類９２を被着した患者Ｍに向けて発生させる。磁気発生装置３は、導線を環状に巻回したコイルを複数段に重ねて配置して成る磁気発生用コイル３０を、患者Ｍの頭部Ｍａから足部Ｍｅに亘る周囲に配置されている。【選択図】図１
2018050720.tif 000002
【特許請求の範囲】
【請求項１】
磁気を発生する磁気発生装置（３，３Ａ）と、
マイナスイオンを発生するマイナスイオン発生装置（４，４Ａ）と、を備えて、
前記磁気発生装置（３，３Ａ）によって発生される磁気と、前記マイナスイオン発生装置（４，４Ａ）によって発生されるマイナスイオンと、を患者（Ｍ）に向けて発生させる磁気マイナスイオン治療システム（１，１Ａ）であって、
前記磁気発生装置（３，３Ａ）は、導線を環状に巻回したコイルを複数段に重ねて配置して成る磁気発生用コイル（３０）を、前記患者（Ｍ）の頭部（Ｍａ）から足部（Ｍｅ）に亘る周囲に配置されていることを特徴とする磁気マイナスイオン治療システム。
【請求項２】
前記磁気発生装置（３）と前記マイナスイオン発生装置（４）とが載置された治療台（２）と、
治療台（２）の上に載置されてトンネル状に構成されたトンネル状構造物（６）と、を備え、
前記トンネル状構造物（６）は、前記磁気発生装置（３，３２）を複数備え、前記治療台（２）上の幅方向の一端部に設けられたヒンジ部（６ｊ）を中心として開閉自在に軸支されたアーチ状のアーチ状分割体（６ａ）を複数直列に並べて構成され、
前記アーチ状分割体（６ａ）は、前記ヒンジ部（６ｊ）を中心として回動させて開放させることによって、前記患者（Ｍ）が前記トンネル状構造物（６）内に入り込む入口（６ｂ）が形成されることを特徴とする請求項１に記載の磁気マイナスイオン治療システム。
【請求項３】
前記治療台（２）の長手方向の一端部側には、前記患者（Ｍ）の頭部（Ｍａ）を入れる開口部（７ｂ）を有し、前記患者（Ｍ）の頭部（Ｍａ）が挿入される中空体（７）が配置され、
前記中空体（７）の外周面（７ａ）には、環状に形成された前記磁気発生装置（３）が複数配置されていることを特徴とする請求項２に記載の磁気マイナスイオン治療システム。
【請求項４】
床面（１１Ａ）に立設されて前記磁気発生装置（３Ａ）が設けられたパネル（２Ａ）と、
前記パネル（２Ａ）によって形成された治療空間（ＳＡ）と、を備え、
前記磁気発生装置（３Ａ）から前記治療空間（ＳＡ）に向けて放射された磁気と、前記患者（Ｍ）に被着させた前記マイナスイオン発生装置（４Ａ）から発生されるマイナスイオンと、で前記治療空間（ＳＡ）内の前記患者（Ｍ）を治療することを特徴とする請求項１に記載の磁気マイナスイオン治療システム。
【請求項５】
前記治療空間（ＳＡ）内の前記床面（１１Ａ）には、前記患者（Ｍ）が運動を行う運動器具（５Ａ）が配置されていることを特徴とする請求項４に記載の磁気マイナスイオン治療システム。
【請求項６】
前記マイナスイオン発生装置（４Ａ）は、前記患者（Ｍ）の複数箇所に被着させてマイナスイオンを前記患者（Ｍ）の体内に注入させる複数のイオンパッド（４２）と、
前記複数のイオンパッド（４２）に電線（４４Ａ）で接続されてマイナスイオンを発生させる電位発生器（４３）と、を備えて構成され、
前記治療空間（ＳＡ）内の上方には、前記パネル（２Ａ）の上方から延設された梁部材（２６Ａ）が配置され、
前記電線（４４Ａ）は、一端側が前記電位発生器（４３）に接続され、他端側が前記梁部材（２６Ａ）から垂下して配線されて前記イオンパッド（４２）に接続されていることを特徴とする請求項４または請求項５に記載の磁気マイナスイオン治療システム。
【請求項７】
前記治療空間（ＳＡ）には、前記パネル（２Ａ）の上方から当該治療空間（ＳＡ）内の上部に延びるアーム（６２Ａ）を有する吊上装置（６Ａ）が設けられ、
前記吊上装置（６Ａ）は、前記アーム（６２Ａ）から垂下する索体（６３Ａ）と、
前記患者（Ｍ）に取り付けられた安全帯（９３Ａ）と、
前記索体（６３Ａ）の先端に設けられて前記安全帯（９３Ａ）に連結される係止具（６４Ａ）と、を備えていることを特徴とする請求項４ないし請求項６のいずれか１項に記載の磁気マイナスイオン治療システム。
【発明の詳細な説明】
【技術分野】
【０００１】
本発明は、磁気とマイナスイオンとを発生させて患者を治療する磁気マイナスイオン治療システムに関する。
【背景技術】
【０００２】
従来、磁気を利用した磁気治療装置としては、例えば、巻回された電磁コイルに交番電圧を加えることによって磁界を発生させる磁界発生部をマットに設けて、磁界を人体に与えることで、血行障害や、肩こりを治療する変動磁界式磁気治療装置が知られている（例えば、特許文献１参照）。
【０００３】
また、マイナスイオンを発生させて、新陳代謝の活性化、自立神経の機能向上、血液の造血・浄化作用の向上を図った装置としては、例えば、銅繊維製フィルター材に通電させることによって、マイナスイオンを発生するマイナスイオン発生シートを敷マット本体に取り付けた敷マットが知られている（例えば、特許文献２参照）。
【先行技術文献】
【特許文献】
【０００４】
【特許文献１】特公昭６２−６８２５号公報
【特許文献２】特許第３４１５８２１号公報
【発明の概要】
【発明が解決しようとする課題】
【０００５】
しかし、特許文献１に開示された磁気治療装置、及び、特許文献２に開示されたマイナスイオン発生用の敷きマットは、効果があることは知られているものの、いずれも効果が弱いという問題点があった。このため、さらに効く磁気治療装置や、マイナスイオン治療装置が要望されている。
【０００６】
そこで、本発明は、前記実情に鑑み創案されたものであり、さらに、治療効果を向上させて効くようにした磁気マイナスイオン治療システムを提供することを課題とする。
【課題を解決するための手段】
【０００７】
前記課題を解決するために、本発明に係る磁気マイナスイオン治療システムは、磁気を発生する磁気発生装置と、マイナスイオンを発生するマイナスイオン発生装置と、を備えて、前記磁気発生装置によって発生される磁気と、前記マイナスイオン発生装置によって発生されるマイナスイオンと、を患者に向けて発生させる磁気マイナスイオン治療システムであって、前記磁気発生装置は、導線を環状に巻回したコイルを複数段に重ねて配置して成る磁気発生用コイルを、前記患者の頭部から足部に亘る周囲に配置されていることを特徴とする。
ここで、「患者」とは、磁気マイナスイオン治療システムを利用する者であって、病気やケガをしている者に限定されず、健康な者も含めていう。
【０００８】
かかる構成によれば、前記治療システムは、患者の頭部から足部に亘る周囲に配置され、複数段に重ねて配置した磁気発生用コイルから成る磁気発生装置から発生される強度の強い磁気と、マイナスイオン発生装置によって発生されるマイナスイオンとを、患者に向けて発生させることにより、磁気とマイナスイオンとを患者の全身に注入させることができる。このため、治療システムは、患者の全身に向けて効率よく磁気及びマイナスイオンを放射することができるので、従来の磁気治療装置、及び、マイナスイオン治療装置よりも、さらに、治療効果を向上させることができる。
【０００９】
また、前記磁気発生装置と前記マイナスイオン発生装置とが載置された治療台と、治療台の上に載置されてトンネル状に構成されたトンネル状構造物と、を備え、前記トンネル状構造物は、前記磁気発生装置を複数備え、前記治療台上の幅方向の一端部に設けられたヒンジ部を中心として開閉自在に軸支されたアーチ状のアーチ状分割体を複数直列に並べて構成され、前記アーチ状分割体は、前記ヒンジ部を中心として回動させて開放させることによって、患者が前記トンネル状構造物内に入り込む入口が形成されることが好ましい。
【００１０】
かかる構成によれば、アーチ状分割体は、ヒンジ部を中心として回動させて開放させることによって、患者がトンネル状構造物内に入り込む入口が形成されるので、トンネル状構造物に特別な入口を作製しなくても、容易に患者が入口からトンネル状構造物に出入りできるようにすることができる。
【００１１】
また、前記治療台の長手方向の一端部側には、前記患者の頭部を入れる開口部を有し、前記患者の頭部が挿入される中空体が配置され、前記中空体の外周面には、環状に形成された前記磁気発生装置が複数配置されていることが好ましい。
【００１２】
かかる構成によれば、治療台上に仰向け等の状態で寝た患者は、頭部を中空体の中に入れて、頭部用磁気発生装置を駆動させれば、頭部用磁気発生装置から発生された磁気によって、効率よく患者の頭部を治療することができる。
【００１３】
また、前記治療システムは、床面に立設されて前記磁気発生装置が設けられたパネルと、前記パネルによって形成された治療空間と、を備え、前記磁気発生装置から前記治療空間に向けて放射された磁気と、前記患者に被着させた前記マイナスイオン発生装置から発生されるマイナスイオンと、で前記治療空間内の前記患者を治療することが好ましい。
【００１４】
かかる構成によれば、治療システムは、磁気発生装置から治療空間に向けて放射された磁気と、患者に被着させたマイナスイオン発生装置から発生されるマイナスイオンとで、治療空間内の患者に治療を行うので、治療空間内で自由に動いている患者を治療することが可能となる。このため、治療システムは、患者が治療空間内で体操、ダンス、バレエ、ヨガ、ウォーキング、スポーツ等の運動を行いながら治療を同時に行うことが可能となる。治療システムは、動くことで血行が良好になった患者を、磁気の効果と、マイナスイオンの効果とを相乗させて治療を行うので、治療効果を倍増させることができる。
また、治療空間は、磁気発生装置が設けられた壁板状のパネルによって周囲が形成されているので、治療空間内に立った状態の患者の全身に対して、患者の全周から磁気及びマイナスイオンを同時に放射して治療を行うことができる。このため、治療システムは、従来の椅子型磁気治療装置、ベッド型治療装置、及び、マイナスイオン治療装置よりも、さらに、治療効果が向上されて効くようにすることができる。
【００１５】
また、前記治療空間内の前記床面には、前記患者が運動を行う運動器具が配置されていることが好ましい。
【００１６】
かかる構成によれば、治療システムは、治療空間内の運動器具で運動中の患者に対して、磁気発生装置からの磁気と、マイナスイオン発生装置からマイナスイオンとを同時に与えながら治療を行うことができる。この場合は、患者が運動器具で運動していることで、血行を良好にさせながら、磁気とマイナスイオンとで治療を行うため、従来の磁気治療装置及びマイナスイオン治療装置よりも、さらに治療効果がある治療にすることができる。
【００１７】
また、前記マイナスイオン発生装置は、前記患者の複数箇所に被着させてマイナスイオンを前記患者の体内に注入させる複数のイオンパッドと、前記複数のイオンパッドに電線で接続されてマイナスイオンを発生させる電位発生器と、を備えて構成され、前記治療空間内の上方には、前記パネルの上方から延設された梁部材が配置され、前記電線は、一端側が前記電位発生器に接続され、他端側が前記梁部材から垂下して配線されて前記イオンパッドに接続されていることが好ましい。
【００１８】
かかる構成によれば、マイナスイオン発生装置は、治療空間内の上方の梁部材から垂下された電線により、電位発生器と、患者に被着させたイオンパッドとが接続されているので、患者が運動しながら治療を行っても、電線が患者に接触したり、絡まったりして邪魔になることがない。
【００１９】
また、前記治療空間には、前記パネルの上方から当該治療空間内の上部に延びるアームを有する吊上装置が設けられ、前記吊上装置は、前記アームから垂下する索体と、前記患者に取り付けられた安全帯と、前記索体の先端に設けられて前記安全帯に連結される係止具と、を備えていることが好ましい。
【００２０】
かかる構成によれば、吊上装置は、アームから垂下する索体に取り付けられた安全帯で患者を支持することができるので、患者が転倒するのを防止することができる。
【発明の効果】
【００２１】
本発明に係る磁気マイナスイオン治療システムによれば、従来の磁気治療装置、及び、マイナスイオン治療装置よりも、治療効果が向上されて効くようにすることができる。
【図面の簡単な説明】
【００２２】
【図１】本発明の第１実施形態に係る磁気マイナスイオン治療システムを示す概略縦断面図である。
【図２】第１実施形態に係る磁気マイナスイオン治療システムを示す図であり、トンネル状構造物を取り外した状態を示す概略平面図である。
【図３】第１実施形態に係る磁気マイナスイオン治療システムを示す概略分解斜視図である。
【図４】第１実施形態に係る磁気マイナスイオン治療システムを示す図であり、治療台上に仰向けで寝た患者の状態を示す概略分解斜視図である。
【図５】第１実施形態に係る磁気マイナスイオン治療システムのアーチ状構造物を示す概略斜視図である。
【図６】図５のＡ−Ａ拡大断面図である。
【図７】カバーを取り外したアーチ状構造物のアーチ分割体を示す斜視図である。
【図８】図５のＢ−Ｂ拡大断面図であって、アーチ分割体を回動させて入口を形成した状態のアーチ状構造物を示す。
【図９】第１実施形態に係る磁気マイナスイオン治療システムに使用されるイオンパッド、導電性衣類及び非導電性衣類を示す分解平面図である。
【図１０】本発明の第２実施形態に係る縦型の磁気マイナスイオン治療システムを示す概略斜視図である。
【図１１】第２実施形態における治療時の患者と磁気マイナスイオン治療システムを示す概略図である。
【図１２】第２実施形態における治療を受ける患者と患者が治療時に身に着ける治療用衣類及びイオンパッドを示す図であり、（ａ）は治療時の患者を示す概略正面図、（ｂ）は患者の頭部に絶縁性の覆面、導電性覆面、及びフードを被せる前の状態を示す患者の要部概略正面図である。
【図１３】第２実施形態における治療を受ける患者の概略背面図である。
【発明を実施するための形態】
【００２３】
［第１実施形態］
次に、本発明の第１実施形態に係る磁気マイナスイオン治療システムを図１〜図９を参照して説明する。なお、部材のサイズ及び形状は、説明の便宜のため、変形または誇張して模式的に表す場合がある。また、説明の便宜上、平面視して矩形の治療台の長さ方向を前後方向、幅方向を左右方向として説明する。
【００２４】
≪磁気マイナスイオン治療システム≫
図１に示すように、磁気マイナスイオン治療システム１（以下「治療システム１」という）は、磁気を発生する磁気発生装置３と、マイナスイオンを発生するマイナスイオン発生装置４と、磁気発生装置３とマイナスイオン発生装置４とが載置された治療台２と、
治療台２の上に敷設されるクッション敷部材５１と、クッション敷部材５１の上に敷設される絶縁マット５２と、絶縁マット５２の上に敷設されるマイナスイオン調整用敷部材５３と、マイナスイオン調整用敷部材５３の上に敷設されたカバー用敷部材５４と、治療台２の上に載置されるトンネル状構造物６と、治療台２の前部側に載置される中空体７と、磁気発生装置３及びマイナスイオン発生装置４を制御する制御装置８と、を備えている。治療システム１は、磁気発生装置３の磁気と、マイナスイオン発生装置４のマイナスイオンとが、制御装置８により同時に発生されて、同時に停止されるようになっている。
【００２５】
≪治療台≫
図１に示すように、治療台２は、患者Ｍが仰向け等の状態で寝て治療を受けるためのベッドである。治療台２は、床に対して垂直に配置された４本の脚部２１と、４本の脚部２１の上端に水平に設けられた基台２２と、基台２２上の左右側の縁部にそれぞれ設けられたトンネル状構造物載設部２３，２４（図２参照）と、基台２２の前端部に立設された脳天用磁気発生装置支持部材２６と、基台２２の後端部に立設された足部用磁気発生装置支持部材２７と、を備えている。治療台２は、例えば、木製等の非磁性体によって、平面視して矩形のテーブル状に形成されている。
図３に示すように、治療台２の上には、複数並設された治療台設置磁気発生装置３１、クッション敷部材５１、絶縁マット５２、絶縁マット５２の上に敷設されたマイナスイオンマット４１、マイナスイオン調整用敷部材５３、カバー用敷部材５４の順に配置されて、カバー用敷部材５４の上に患者Ｍが仰向け等の状態で寝るようになっている。
【００２６】
脚部２１は、基台２２の下面の前後左右の端部に設けられている。
基台２２は、平面視して前後方向に長い矩形の木製の略厚板状部材から成り、水平に配置されている。基台２２の中央部には、治療台設置磁気発生装置３１（磁気発生装置３）が前後方向に複数並べて没入させた状態に配置する凹溝状の磁気発生装置設置部２２ａ，２２ｂが形成されている。
【００２７】
磁気発生装置設置部２２ａは、基台２２の前端部中央に形成され、磁気発生装置３を収容する縦断面視して凹溝状の設置スペースであり、治療台２上に寝た患者Ｍの頭部Ｍａの下側に形成されている。
磁気発生装置設置部２２ｂは、基台２２の中央部に横二列に形成された磁気発生装置３を収容する縦断面視して凹溝状の設置スペースであり、治療台２上に寝た患者Ｍの肩部の下方から足部Ｍｅの下方に亘って形成されている。
【００２８】
トンネル状構造物載設部２３は、トンネル状構造物６の左右の一方の下端面が、上下方向に回動自在に軸支された帯状の板部位であり、基台２２の右端部に載設されている。
トンネル状構造物載置部２４は、トンネル状構造物６の左右の他方の下端面が上下方向に移動自在に載置された帯状の板部位であり、基台２２の左端部に設けられている。
脳天用磁気発生装置支持部材２６は、脳天用磁気発生装置３４が１個取り付けられる厚板部材であり、基台２２の前端中央部に立設されたヘッドボード状の木製部材から成る。
【００２９】
足部用磁気発生装置支持部材２７は、足部用磁気発生装置３５が取り付けられる厚板部材であり、基台２２の後端中央部に立設された木製板部材から成る。この足部用磁気発生装置支持部材２７には、足部用磁気発生装置３５が左右２個取り付けられている。
【００３０】
クッション敷部材５１は、治療台２上に多数並設された治療台設置磁気発生装置３１と、絶縁マット５２との間に介在されて、治療台設置磁気発生装置３１の凹凸面の段差を吸収したり、治療台設置磁気発生装置３１の熱を遮断したりするために敷設される弾性部材である。クッション敷部材５１は、ウレタン樹脂、スポンジ、ゴム等によって、略布団状に形成されている。クッション敷部材５１は、治療台２上の治療台設置磁気発生装置３１の上面の凹凸状態等によって適宜に敷設すればよく、凹凸が無い場合、無くてもよい。また、クッション敷部材５１は、絶縁マット５２の上面に敷設してもよい。
【００３１】
≪絶縁マット≫
図３に示すように、絶縁マット５２は、絶縁樹脂、絶縁ゴム等によって形成された薄い矩形の平板状の絶縁性板状部材である。絶縁マット５２は、治療台設置磁気発生装置３１が挿設された基台２２の上面全体をクッション敷部材５１を介在して敷設されている。
【００３２】
≪磁気発生装置≫
磁気発生装置３は、患者Ｍの身体全体に向けて磁気（交番磁気）を放射する装置であり、基台２２上に仰向けに寝た患者Ｍの背面側、正面側、頭部側及び足部側から患者Ｍに向けて磁気を発生するように設けられている。磁気発生装置３は、背面側から患者Ｍに向けて磁気を発生する治療台設置磁気発生装置３１と、正面側から患者Ｍに向けて磁気を発生するトンネル設置磁気発生装置３２と、頭部Ｍａの左右及び上方向の３方向側から患者Ｍに向けて磁気を発生する頭部用磁気発生装置３３と、脳天（前）側から患者Ｍに向けて磁気を発生する脳天用磁気発生装置３４と、足部Ｍｅ（後）側から患者Ｍに向けて磁気を発生する足部用磁気発生装置３５と、を備えている。磁気発生装置３は、多数の磁気発生装置３を組み合わせて構成されていることによって、容量を大きくしている。各磁気発生装置３は、同一形状、同一構造のものから成り、それぞれ制御装置８の磁気用タイマ部８１（図１参照）に並列に接続されている。
【００３３】
磁気発生装置３は、電磁石に交流電流を流して、Ｎ極とＳ極が交互に入れ替わって磁力の強さが変化する交番磁場を形成する交流磁気治療機から成る。交流磁気治療機は、広範囲に磁場が発生して患者Ｍの全身に安定した強力な刺激を与えると共に、体の奥深くまで磁力線が届いて大きな治療効果がある。
【００３４】
磁気発生装置３は、例えば、家庭用医療器具として肩こり、筋肉の疲れ、血行促進、装着部位のこり、血行等に効果、効用があることが確認されているニューマグネの環状の空芯コイルを、複数段に重ねて配置して成る磁気発生用コイル３０を多数備えて構成されている。換言すると、磁気発生用コイル３０は、例えば、振動を伴わないスタンダード型の非振動タイプのニューマグネと同じ構造の環状の空芯コイルを二重構造にしたものである。一例を挙げると、磁気発生装置３に使用される磁気発生用コイル３０は、定格電圧が１００Ｖ、定格容量が１１０／９５ＡＶ、最大磁束密度が１２０ｍＴ±５％、磁束能力（磁力線の強さ）が３５０〜１８００ガウス（３５〜１８０ｍＴ）で、好ましくは、４００〜１２００ガウス（４０〜１２００ｍＴ）の交流磁気治療器を二つ重ねて成る。磁気発生用コイル３０は、例えば、空芯コイルを二段に積層したものを、患者Ｍの頭部Ｍａから足部Ｍｅに亘る周囲に配置して成る。さらに、詳述すると、磁気発生装置３は、鉄心が無い空芯コイルを外径が２０ｃｍ程度に環状に形成されたものを軸方向に二つ重ねて配置して成る。なお、導線を環状に巻回した空芯コイルの導線の本数は、特に限定されず、１本でも２本、３本、４本等の２本以上であってもよい。また、磁気発生装置３は、Ｎ極またはＳ極の方向に瞬時的に磁力線が走るパルス磁場を形成するパルス磁気治療機でもよい。
【００３５】
図３に示すように、治療台設置磁気発生装置３１は、基台２２上に仰向けの状態で寝た患者Ｍの背面側全体に向けて磁気を放射する装置であり、各磁気発生装置設置部２２ａ，２２ｂに配置された多数の磁気発生装置３から成る。各治療台設置磁気発生装置３１は、制御装置８を介して電源に接続されている。
【００３６】
図５〜図７に示すトンネル設置磁気発生装置３２は、トンネル状構造物６の各アーチ状分割体６ａに形成された磁気発生装置収納部６ｄに内設された磁気発生装置３である。トンネル設置磁気発生装置３２は、縦断面視して逆Ｕ字状に形成されたトンネル状構造物６に、５〜６箇所程度形成された磁気発生装置収納部６ｄにそれぞれ内設され、患者Ｍに対して正面側の上部、左右側部、左右斜め上部から磁気を放出するように設置されている。
【００３７】
図２〜図４に示す頭部用磁気発生装置３３は、患者Ｍの頭部Ｍａが挿入される中空体７の外周面７ａに設置された磁気発生装置３である。頭部用磁気発生装置３３は、略バケツ状に形成された中空体７の外周面７ａに、磁気発生装置３が３〜５箇所程度（例えば、４箇所）配置されて、患者Ｍの頭部Ｍａに対して正面側の上部、左右側部、下部から磁気を放出するように設置されている。その４個の頭部用磁気発生装置３３は、中空体７の外周面７ａの左右側部及び上部の３箇所にそれぞれ固定された磁気発生装置３と、中空体７の下部の１箇所に敷設された治療台設置磁気発生装置３１と、を含んで構成されている。
【００３８】
図３及び図４に示すように、脳天用磁気発生装置３４は、患者Ｍが基台２２上に仰向けの状態で寝た際に、頭部Ｍａの脳天側の位置に配置される磁気発生装置３である。脳天用磁気発生装置３４は、基台２２の前端部に立設された脳天用磁気発生装置支持部材２６に、例えば、一箇所程度設けられている。
【００３９】
足部用磁気発生装置３５は、患者Ｍが基台２２上に仰向けの状態で寝た際に、患者Ｍの足部Ｍｅに向けて磁気を放射するための磁気発生装置３である。足部用磁気発生装置３５は、基台２２の後端部に立設された足部用磁気発生装置支持部材２７に、例えば、２個設けられている。
【００４０】
≪マイナスイオン発生装置≫
マイナスイオン発生装置４は、マイナスイオンを患者Ｍの体内に注入させるマイナスイオンマット４１及び複数のイオンパッド４２と、イオンパッド４２に接続された電位発生器４３と、マイナスイオンマット４１上に敷設されるマイナスイオン調整用敷部材５３と、マイナスイオン調整用敷部材５３上に敷設されるカバー用敷部材５４とを備えている。
【００４１】
＜マイナスイオンマット＞
図３に示すように、マイナスイオンマット４１は、制御装置８（図１参照）からの通電によってマイナスイオンを患者Ｍの体内に注入させる通電マットである。マイナスイオンマット４１は、基台２２よりも僅かに小さい幅及び長さの矩形に形成されて導電性の糸状部材を含む敷マット本体４１ａと、敷マット本体４１ａに設けられ導電体に接続された少なくとも２つ以上の接続端子４１ｂと、から主に構成されている。
【００４２】
敷マット本体４１ａは、例えば、基台２２よりも僅かに小さい幅及び長さの矩形に形成されて敷マット本体４１ａを構成する絶縁樹脂と、絶縁樹脂にインサートされた通電性糸と、絶縁樹脂に接着または絡み合わせた絶縁性布と、から構成された導電体から成る。
なお、通電性糸は、電気を通すことによってマイナスイオンを患者Ｍに吸収させる細い部材であればよく、この他に、通電性の静電防止用ミシン糸（例えば、株式会社フジックス製の帯電防止機能付糸）や、細い銅繊維等の金属製糸を稠密に編んだものでもよい。
【００４３】
接続端子４１ｂは、敷マット本体４１ａの外周部に配置されている通電性糸に、導電性の金属から成るホック、止めピン等で接続されている。接続端子４１ｂは、一方側がコードを介して電位発生器４３のアース端子に接続され、他方側が接地されている。コードは、接続端子４１ｂ側がマイナス側、制御装置８側がプラス側になるように接続された単線のコードから成る。そのコードは、敷マット本体４１ａの前端部及び後端部の二箇所に接続された２本、または、敷マット本体４１ａの複数箇所に接続された２本以上から成る。
【００４４】
図３に示すように、マイナスイオン調整用敷部材５３は、マイナスイオンマット４１から患者Ｍ側に流れる電流の強さを微調整するための布製のシート状部材から成る。そのマイナスイオン調整用敷部材５３は、具体例を挙げると、１〜２枚程度のアクリル製等の毛布、あるいは、１〜３枚程度の木綿製のタオルケットから成る。
マイナスイオン調整用敷部材５３は、このようにマイナスイオンマット４１の上に適宜な枚数を敷設することにより、各患者Ｍに合った強度の電流が流れるように微調整する機能と、患者Ｍの人体内に入るマイナスイオンの量を微調整する機能と、を果す。
カバー用敷部材５４は、マイナスイオンマット４１の上面を覆うように敷設されるカバーであり、木綿製等の布から成るフラットシーツ等のシーツである。
【００４５】
＜イオンパッド及びベルト＞
図９に示すように、イオンパッド４２は、患者Ｍの人体に被着させてマイナスイオン（陰イオン）を生体に与えることにより、血液を弱アルカリ性に是正して、自律神経機能のアンバランスを調整し、疲労した細胞を正常化する「電子負荷療法（負電荷療法）」といわれている治療に使用される市販の金属導子、または、ゴム導子から成る複数の導子４２ａである。イオンパッド４２は、導子４２ａと、導子４２ａを覆う導電性導子カバー４２ｂと、導電性導子カバー４２ｂを覆う通電調整用導子カバー４２ｃと、を備えている。
【００４６】
各イオンパッド４２は、各電線４４から各電位発生器４３のアース端子、各コード、マイナスイオンマット４１を介して接地され、電位発生器４３から予め設定された電圧（電位）の電流が供給される。イオンパッド４２は、患者Ｍの胸部Ｍｂ、腹部Ｍｃ、左右の手部Ｍｄ、左右の足部Ｍｅ等の治療したい箇所に当てて、両端部に着脱自在な面ファスナー４５ａを備えた布製のベルト４５を巻き付けて拘束状態にすることで、人体に取り付けられる。イオンパッド４２及びベルト４５の数は、６つが望ましく、６つ以外でもよい。
【００４７】
なお、イオンパッド４２を６つ以上に増設した場合は、増設した分のイオンパッド４２を、筋肉痛等の痛みがある箇所や、具合の悪い箇所を治療したり、痛みを和らげたりするための専用のパッドにしてもよい。また、増設した予備のイオンパッド４２は、心臓、肺、胃、腸、腎臓等の臓器がある部位の皮膚に密着させるようにして配置すれば、それらの臓器の治療に使用することもできる。
【００４８】
導子４２ａの形状及び大きさは、被着させる患者Ｍの被着部位の形状や大きさに合わせて適宜形成すればよい。導子４２ａは、例えば、矩形の板状に形成されている。患者Ｍの胸部Ｍｂ及び腹部Ｍｃに被着される導子４２ａは、例えば、手部Ｍｄ及び足部Ｍｅに被着される導子４２ａよりも大きく形成されたものから成る。
【００４９】
導電性導子カバー４２ｂは、導電性繊維から成る布を袋状に縫製して形成された導子収納袋であり、四角形の巾着袋のように形成されている。導電性導子カバー４２ｂの開口部には、開口部から導子４２ａが落下するのを防止するベルト状部材が設けられている。そのベルト状部材は、一端側が開口部の一端部に固定され、他端側が開口部の他端部に面ファスナー等によって着脱自在になっている。
【００５０】
通電調整用導子カバー４２ｃは、導子４２ａを収納した導電性導子カバー４２ｂを収納する木綿等の非導電性繊維の布縫製した袋状のカバーである。この通電調整用導子カバー４２ｃは、導電性導子カバー４２ｂとは異種な材質なものによって同様な形状に形成されている。通電調整用導子カバー４２ｃは、イオンパッド４２が患者Ｍの皮膚に直接触れるのを抑制すると共に、患者Ｍの身体に吸収されるマイナスイオンの強度を調整することによって、ピリピリ感（痛み）が無い適度な感触にするための機能を備えている。
【００５１】
＜電位発生器＞
図１に示すように、電位発生器４３は、マイナスイオンを生成する装置であって、マイナスイオンマット４１及びイオンパッド４２に３００〜６００Ｖ程度（例えば、３００Ｖ）の予め設定された電圧の電流を供給する装置である。各電位発生器４３は、マイナスイオン用タイマ部４３ａと、出力調整部４３ｂと、調整スイッチ部４３ｃと、をそれぞれ備えている。電位発生器４３は、例えば、市販の株式会社日本理工医学研究所製の「タカダイオン負電荷治療器ＴＫ−２２１１」から成る。
電位発生器４３は、一方側がマイナスイオンマット４１及び各イオンパッド４２に接続され、他方側が制御装置８を介して電源に接続されている。図１及び図２では電位発生器４３の台数を１台に省略して記載しているが、電位発生器４３は、６台のイオンパッド４２の数と、１台のマイナスイオンマット４１との数と、を加算して合計７台設けられて、１つのイオンパッド４２及びマイナスイオンマット４１に対して１台ずつ設けられている。各電位発生器４３には、接地用のアース部材（図示省略）が設けられている。
【００５２】
マイナスイオン用タイマ部４３ａは、マイナスイオン発生装置４を駆動させる時間を、患者Ｍに病状や、希望する時間に合わせて適宜に調整スイッチ部４３ｃで調整可能になっている。マイナスイオン用タイマ部４３ａの設定時間は、磁気用タイマ部８１の設定時間と同じで、１５分、３０分、６０分に設定されて、同時に始動して同時に停止される。
【００５３】
出力調整部４３ｂは、電位発生器４３の電圧を３００〜６００Ｖ程度内の適宜な値に設定するための調整部位である。電圧は、通常、装置全体が３００Ｖに一定に保たれ、患者Ｍの要望や病状等によって適宜な値に上げてもよい。
調整スイッチ部４３ｃは、マイナスイオン用タイマ部４３ａの時間を調整したり、電源をＯＮ，ＯＦＦしたりするためのスイッチである。
【００５４】
図２に示すように、電線４４は、電位発生器４３と、イオンパッド４２と、制御装置８と、をそれぞれ接続させるための絶縁被覆付リード線である。電線４４は、一端側が、電位発生器４３を介して制御装置８に接続され、他端側が、人体に被着された各イオンパッド４２に接続されている。
【００５５】
図３に示すように、ベルト４５は、患者Ｍの手部Ｍｄ及び足部Ｍｅに付着させたイオンパッド４２が、患者Ｍの体から落下したり、位置ズレしたりしないように保持するためのパッド用固定具である。ベルト４５は、イオンパッド４２がズレたり、落下したりしない場合は、無くてもよく、必ず使用しなければならないものではない。
【００５６】
≪患者が身に付ける衣類≫
図９に示すように、患者Ｍは、治療する際に、地肌側に非導電性衣類９１を着けて、その上に導電性衣類９２を身に着けて、全身を覆った状態で治療システム１で治療する。
【００５７】
＜非導電性衣類＞
非導電性衣類９１は、患者Ｍが治療システム１で治療する際に、地肌側に着ける衣類であり、木綿製等の一般的な非通電性の繊維の衣類から成る。非導電性衣類９１は、患者Ｍの皮膚に対して隙間なく密着させるため、伸縮性のある布で縫製されている。非導電性衣類９１は、長袖下着９１１と、股引状下着９１２と、覆面９１３と、手袋９１４と、靴下９１５とを有している。非導電性衣類９１は、非導電性の布を縫製して形成され、患者Ｍの全身を覆うことで、マイナスイオンマット４１から導電性衣類９２Ａ及び非導電性衣類９１を介して患者Ｍの体内に入る電流を低減させて、各患者Ｍの皮膚等に合ったマイナスイオンの強度に微調整している。このため、非導電性衣類９１は、弱通電性の布から成るものでもよく、また、イナスイオンの強度の調整が不要な場合、不要である。
【００５８】
長袖下着９１１は、袖が手首を完全に覆う長さに形成された長袖の下着、あるいは、肌着であって、袖が手首及び手袋９１４の開口部を完全に覆う長さに形成されている。
股引状下着９１２は、所謂「ももひき」と言われているズボン型下着であって、下端が足首及び靴下９１５の開口部を完全に覆うように長く形成された股引である。なお、股引状下着９１２の下には、木綿製等に一般的な繊維から成るパンツを着けてもよい。
【００５９】
覆面９１３は、患者Ｍの左右の目と、口とに合わせた開口９１３ａをそれぞれ有して患者Ｍの顔を覆うと共に、患者Ｍの首、及び、左右の肩を覆う肩宛部９１３ｂを有する覆面である。覆面９１３は、例えば、木綿製のタオル地の布で形成されている。覆面９１３の開口９１３ａの大きさは、人の目や口と同程度の大きさか、あるいは、人の目や口の大きさよりも小さく形成したものでもよい。
【００６０】
患者Ｍの左右の手部Ｍｄに被着させて手部Ｍｄを覆う手袋９１４、及び、患者Ｍの左右の足部Ｍｅに被着させて覆う靴下９１５は、各指を入れる部分がそれぞれある五本指タイプものでも、親指以外の指をまとめて入れるようにしたミトンタイプのもの、あるいは、全部の指をまとめて入れるようにした一本指タイプのものでも、どちらでもよい。手袋９１４及び靴下９１５は、この手袋９１４及び靴下９１５内に挿入したイオンパッド４２を患者Ｍの手部Ｍｄや足部Ｍｅに固定するための手段として使用してもよい。
【００６１】
＜導電性衣類＞
図９に示すように、導電性衣類９２は、患者Ｍが治療システム１で治療する際に、非導電性衣類９１の上に身に付ける通電性の衣類である。導電性衣類９２は、患者Ｍが被着した非導電性衣類９１に対して隙間なく密着するように縫製されている。導電性衣類９２は、導電性衣服９２１と、導電性覆面９２２と、導電性手袋９２３と、導電性靴下９２４と、から成る。導電性衣類９２は、マイナスイオンマット４１及びイオンパッド４２から患者Ｍ側に流れる負電荷と、磁気発生装置３から発生した磁気と、を患者Ｍの体内に入り易くする機能がある。このため、導電性衣服９２１は、フード９２１ａ付きの導電性衣服９２１と、導電性覆面９２２と、導電性手袋９２３と、導電性靴下９２４と、によって患者Ｍの全身を覆うことにより、体全体にムラ無くマイナスイオンを浸透し易くしている。
導電性衣類９２は、ポリエステル等の合成繊維と、銅、ニッケル、ステンレス鋼等の導電性金属繊維と、から成る導電性の布を縫製して作られた衣類である。この他、導電性衣類９２は、合成繊維に導電性の良好な金属や黒鉛を均一に分散させたもの、あるいは、有機物繊維の表面に金属を被覆したものでもよい。
【００６２】
導電性衣服９２１は、上衣と下衣が一体のつなぎから成り、非導電性の覆面９１３及び導電性覆面９２２を着けた患者Ｍの頭部Ｍａ、及び首を覆うフード９２１ａを有している。導電性衣服９２１は、長袖下着９１１及び股引状下着９１２と同様に、袖が手首を完全に覆うように長く形成されると共に、下端が足首を完全に覆う長さに形成されている。
なお、導電性衣服９２１は、上衣部分と下衣部分が連続した衣服であればよく、ガウンや浴衣でもよい。また、導電性衣服９２１は、特殊導電糸で作った株式会社エムシーシー製の「超制電クリーンスーツ」や、「マスク・フード一体型クリーンスーツ」でもよい。
【００６３】
導電性覆面９２２は、患者Ｍの頭部Ｍａ、首及び肩部に被着させた非導電性の覆面９１３を覆う導電体であり、頭部Ｍａ、首、及び肩部にマイナスイオンを浸透し易くする。導電性手袋９２３は、患者Ｍの左右の手部Ｍｄに被着させた非導電性の手袋９１４を覆う導電体である。導電性靴下９２４は、患者Ｍの左右の足部Ｍｅに被着させた非導電性の靴下９１５を覆う導電体である。
【００６４】
≪トンネル状構造物≫
図１に示すように、トンネル状構造物６は、治療台２の上に仰向けに寝た患者Ｍの全身を空間を介して覆う縦断面視して略逆Ｕ字状の半筒体から成り、患者Ｍの全身に対して正面（上）側からマイナスイオンを放射させる多数のトンネル設置磁気発生装置３２を備えている。トンネル状構造物６は、治療台２の左右方向（幅方向）の端部に設けられたトンネル状構造物載設部２３及びトンネル状構造物載置部２４上に配置されると共に、トンネル状構造物載設部２３に回動自在に載置された複数のアーチ状分割体６ａから成り、全体の長さが約２ｍである。
【００６５】
図５〜図８に示すように、アーチ状分割体６ａは、例えば、正面視して半円形の円筒状部材を前後方向に８〜１０台程度並べて、治療台２上に右端部を中心として上下方向に回動自在に軸支して開閉可能に配置して構成されている。
なお、アーチ状分割体６ａの数は、適宜変更してもよい。アーチ状分割体６ａは、患者Ｍが治療する際に、図８に示すように、閉塞した状態から左端部を上げるように回動させて、患者Ｍがトンネル状構造物６内に入り込む出入口を形成する。患者Ｍがトンネル状構造物６内に入り込んだら、閉塞して使用する。アーチ状分割体６ａは、半円筒形状の構造物本体６ｃと、構造物本体６ｃに適宜な間隔で複数形成された磁気発生装置収納部６ｄに収納されたトンネル設置磁気発生装置３２と、各アーチ状分割体６ａを覆うカバー部材６ｉとを有する。アーチ状分割体６ａは、５つの磁気発生装置収納部６ｄにそれぞれ収納されたトンネル設置磁気発生装置３２を有する。
【００６６】
構造物本体６ｃは、複数のトンネル設置磁気発生装置３２を前後方向から見てアーチ状に並べた状態に保持するための部材であり、例えば、木製の平板材を組み立てて成る。構造物本体６ｃは、トンネル設置磁気発生装置３２を側面方向から支持する側板６ｅと、側板６ｅの下面側に設けられてトンネル設置磁気発生装置３２を下側から支持する底板６ｆと、側板６ｅと底板６ｆとで形成された略溝形状の磁気発生装置収納部６ｄ，６ｄ間に介在された連結板６ｇと、をアーチ状に連続して設けて成る。構造物本体６ｃの外周面側及び内周面側は、カバー部材６ｉによって覆われている。
【００６７】
側板６ｅは、溝形状の磁気発生装置収納部６ｄの前側側壁、後側側壁、及び、左右（上下）の側壁を形成する板部材である。
底板６ｆは、左右（上下）の側板６ｅの下端部に固定された板部材である。底板６ｆの中央部には、矩形の底部開口６ｈが形成されている。
連結板６ｇは、略逆Ｕ字状に形成された構造物本体６ｃの中心部から外側へ放射方向に向けて配置された側板６ｅ，６ｅ間に設置されて、磁気発生装置収納部６ｄを連結するように設けられた板部材である。
カバー部材６ｉは、構造物本体６ｃを覆う木綿等の非導電性の布製、または、樹脂製シートから成る。
【００６８】
≪中空体≫
図３及び図４に示すように、中空体７は、複数の頭部用磁気発生装置３３を前後方向から見てアーチ状に並べた状態に保持するための部材であり、患者Ｍの頭部Ｍａを挿入することが可能な大きさの有底円筒形状の樹脂製部材から成る。中空体７は、治療台２の長手方向の前端部（一端部）側に配置されている。中空体７は、例えば、左右及び上部の三箇所に設けられた３個の頭部用磁気発生装置３３が取り付けられる外周面７ａと、患者Ｍの頭部Ｍａを入れるための開口部７ｂと、を有して、治療台設置磁気発生装置３１上に載置されている。中空体７内の患者Ｍの頭部Ｍａの下には、タオル等を介在させてもよい。
【００６９】
≪制御装置≫
図１に示す制御装置８は、磁気発生装置３の駆動時間を制御する磁気用タイマ部８１と、磁気用タイマ部８１の時間を調整したり、電源をＯＮ，ＯＦＦしたりするためのスイッチ部８２と、スイッチ部８２で設定したタイマ時間等と表示する表示部８３と、表示部８３や電位発生器４３等の駆動を制御する制御部８４と、を備えている。
【００７０】
磁気用タイマ部８１は、各磁気発生装置３を駆動させる時間を、患者Ｍに病状や、希望する時間に合わせて適宜にスイッチ部８２で調整可能になっている。磁気用タイマ部８１及びマイナスイオン用タイマ部４３ａは、５分〜１５分単位等で、適宜な時間に設定可能になっている。磁気用タイマ部８１の時間は、一般的に、１５分〜６０分程度に設定して使用される。なお、磁気用タイマ部８１は、治療台設置磁気発生装置３１、トンネル設置磁気発生装置３２、頭部用磁気発生装置３３、脳天用磁気発生装置３４、及び、足部用磁気発生装置３５をそれぞれ適宜な時間に制御可能にしてもよく、また、磁気発生装置３全体を同時にスタートさせて適宜な同じ時間に停止するようにしてもよい。
【００７１】
スイッチ部８２は、磁気用タイマ部８１の時間を設定させるタイマ時間設定スイッチと、治療システム１全体をＯＮ，ＯＦＦする電源スイッチと、磁気発生装置３及びマイナスイオン発生装置４を作動させるスタートスイッチと、を備えて成る。
表示部８３は、スイッチ部８２で設定した時間をデジタル表示する時間表示部と、マイナスイオンマット４１やイオンパッド４２に送る電圧を表示する電圧表示部とを有する。
制御部８４は、治療システム１の各部を制御する部位であり、磁気とマイナスイオンとが同時に発生されるように、磁気発生装置３とマイナスイオン発生装置４と制御する機能を有している。
【００７２】
≪第１実施形態の作用≫
次に、図１〜図９を参照しながら本発明の第１実施形態に係る治療システム１の作用を説明する。
【００７３】
患者Ｍは、治療システム１で治療する前に、まず、図９に示す非通電性の長袖下着９１１と、股引状下着９１２等の下着と皮膚に密着した状態に被着し、その上に導電性衣服９２１を密着するように被着する。続いて、患者Ｍの頭部Ｍａ、首、及び肩部に非導電性の覆面９１３を被せ、その上に導電性覆面９２２を被せて頭部Ｍａ、首、及び肩部を二重に覆って眼と口のみを露出させる。その頭部Ｍａに導電性衣服９２１のフード９２１ａを被せる。患者Ｍの左右の手部Ｍｄには、非導電性の手袋９１４を被せ、その上に導電性手袋９２３を被せる。患者Ｍの左右の足部Ｍｅには、非導電性の靴下９１５を被せ、その上に導電性靴下９３を被せる。すると、患者Ｍは、図３に示すように、眼と口以外の肌が露出しないように非導電性衣類９１と導電性衣類９２とで全身が覆われた状態になる。
【００７４】
次に、図８に示すように、アーチ状分割体６ａを上方向に回動させて開放させ、トンネル状構造物６に入口６ｂを形成する。患者Ｍは、その入口６ｂからトンネル状構造物６内に入り込み、図１及び図２に示すように、治療台２上のマイナスイオンマット４１の上に仰向けの状態に寝て、頭部Ｍａを中空体７内に入れ、足部Ｍｅを足部用磁気発生装置３５の前側に置く。
続いて、図９に示すように、各イオンパッド４２の導子４２ａを、導電性導子カバー４２ｂ内に入れると共に、導電性導子カバー４２ｂを、通電調整用導子カバー４２ｃ内に入れる。イオンパッド４２を、導電性衣服９２１及び長袖下着９１１内の患者Ｍの臍等の周辺の胸部Ｍｂと、丹田等の腹部Ｍｃと、にそれぞれ被着させる。
【００７５】
次に、イオンパッド４２を、左右の手袋９１４及び導電性手袋９２３内にそれぞれ挿入させて掌等の手部Ｍｄに当てる。また、イオンパッド４２を、左右の導電性靴下９２４及び靴下９１５内にそれぞれ挿入させて足の裏等の足部Ｍｅに当てる。手部Ｍｄ及び足部Ｍｅにそれぞれ被着させたイオンパッド４２を、手部Ｍｄ及び足部Ｍｅにベルト４５で固定させる。
これにより、治療システム１で患者Ｍを治療する前に行う準備工程である患者Ｍに身に付けさせる非導電性衣類９１及び導電性衣類９２の被着工程と、患者Ｍに付けるイオンパッド４２の取付工程と、が終了する。
【００７６】
なお、イオンパッド４２は、患者Ｍの病状等に合わせて、所望とする治療したい箇所に取り付ければよく、図２に示す箇所に限定されるものではない。例えば、イオンパッド４２が６個ある場合は、前記したように、６個あるうちの４個を左右の手部Ｍｄと、左右の足部Ｍｅの４箇所に必ず取り付けて、残りの２個を胸部Ｍｂ及び腹部Ｍｃ等の患者Ｍの希望する箇所に取り付けることにより、効果的に治療を行うことができる。
【００７７】
次に、図１に示す制御装置８のスイッチ部８２の電源スイッチをＯＮにすると共に、磁気用タイマ部８１及びマイナスイオン用タイマ部４３ａを操作して、磁気発生装置３及びマイナスイオン発生装置４の駆動時間を、患者Ｍの病状等に合わせた適切な時間や、患者Ｍ等の希望する時間（例えば、３０分から６０分程度）にセットする。
そして、スイッチ部８２のスタートスイッチをＯＮすると、磁気用タイマ部８１及びマイナスイオン用タイマ部４３ａが同時に作動して、磁気発生装置３とマイナスイオン発生装置４が始動する。すると、治療システム１は、磁気発生装置３から発生される磁気と、マイナスイオン発生装置４から発生されるマイナスイオンとが同時に発生し始める。
【００７８】
そして、治療台設置磁気発生装置３１からは、患者Ｍの背面側全体に向けて磁気が発生される。トンネル設置磁気発生装置３２からは、患者Ｍの正面側全体に磁気が発生される。頭部用磁気発生装置３３からは、患者Ｍの頭部Ｍａに向けて磁気が発生される。脳天用磁気発生装置３４からは、患者Ｍの頭部Ｍａの脳天に向けて磁気が発生される。足部用磁気発生装置３５からは、患者Ｍの左右の足部Ｍｅの裏面に向けて磁気が発生される。このようにして、各磁気発生装置３の磁気発生コイル３０は、患者Ｍの全身の下側、上側、左側及び右側の全周側から患者Ｍに向けて磁気を放出する。
【００７９】
これと同時に、制御装置８から電位発生器４３に電流が供給されると、電位発生器４３で生成されたマイナスイオンが、マイナスイオンマット４１から患者Ｍの背面側の全身内に注入される。また、制御装置８から電位発生器４３に電流が供給されると、電位発生器４３で生成されたマイナスイオンが、各イオンパッド４２から患者Ｍの胸部Ｍｂ、腹部Ｍｃ、左右の手部Ｍｄ、及び、左右の足部Ｍｅ内に注入される。
【００８０】
この場合、マイナスイオンマット４１の上部には、適宜な枚数のマイナスイオン調整用敷部材５３と、カバー用敷部材５４とが敷設されていることによって、各患者Ｍに合ったマイナスイオンの強度に微調整することができる。また、各イオンパッド４２は、各導子４２ａが導電性導子カバー４２ｂと通電調整用導子カバー４２ｃとで覆われているので、マイナスイオンの強度に微調整することができる。また、非導電性衣類９１は、厚さ、枚数を変更したり、弱通電性の材質のものに変更したりすることによって、各患者Ｍに合ったマイナスイオンの強度に微調整することもできる。
【００８１】
マイナスイオン発生装置４は、患者Ｍの身体内にマイナスイオンを放出することにより、血液の血清中のグロブリンにマイナスイオンが作用すると、血液がマイナスイオン化されて、細胞を活性化させることができる。また、マイナスイオン発生装置４は、マイナスイオンを生体に与えることで、血液中のｐＨを調整して、活性酸素で酸性化された器官や組織の活性酸素を分解、消去する還元反応で、弱アルカリ性に是正させることができる。
このようなことからマイナスイオン発生装置４は、器官、臓器、骨髄、筋肉等の身体全体における組織の新陳代謝の改善、促進効果、老化及び病気の防止改善に効能作用があることが確認されている。
【００８２】
この場合、各イオンパッド４２は、各導子４２ａが導電性導子カバー４２ｂと通電調整用導子カバー４２ｃとで覆われているので、マイナスイオンの強度を微調整することができる。また、導電性衣類９２Ａは、この下に着る非導電性衣類９１Ａの厚さ、枚数を変更したり、弱通電性の材質のものに変更したりすることによって、各患者Ｍに合ったマイナスイオンの強度に微調整することができる。
【００８３】
マイナスイオン発生装置４は、患者Ｍの身体内にマイナスイオンを放出することで、血液の血清中のグロブリンにマイナスイオンが作用すると、血液がマイナスイオン化され、細胞を活性化させることができる。また、マイナスイオン発生装置４は、マイナスイオンを生体に与えることで、血液中のｐＨを調整し、活性酸素で酸性化された器官や、組織の活性酸素を分解、消去する還元反応で、弱アルカリ性に是正させることができる。
このため、マイナスイオン発生装置４は、脳、器官、臓器、骨髄、筋肉等の身体全体における組織の新陳代謝の改善、促進効果、老化、及び病気の防止改善に効能作用がある。このように、治療システム１は、二段に重ねて配置した多数の磁気発生コイル３０による磁気と、マイナスイオン発生装置４によるマイナスイオンとを、同時に発生させて患者Ｍを治療する。
【００８４】
つまり、図１に示すように、治療システム１は、マイナスイオンマット４１上に仰向け等の状態で寝た患者Ｍに対して、マイナスイオンマット４１からマイナスイオンを与えると同時に、治療台設置磁気発生装置３１から発生された磁気を与えている。このため、治療システム１は、マイナスイオンと磁気との相乗効果で、従来の磁気治療装置、及び、マイナスイオン治療装置よりもさらに効果がある治療を行うことができる。
【００８５】
また、治療システム１は、トンネル状構造物６が縦断面視して略逆Ｕ字形状に形成されていることにより、治療台２上の仰向け等の状態で寝た患者Ｍの全身を覆うように配置して、トンネル状構造物６に設けたトンネル設置磁気発生装置３２によって、患者Ｍの全身に密度の高い磁気を放出して治療を行うことができる。
また、治療システム１は、治療台設置磁気発生装置３１の上に仰向け等の状態で寝た患者Ｍが、頭部Ｍａを中空体７の中に入れて頭部用磁気発生装置３３を駆動させると共に、頭部Ｍａの脳天側に配置された脳天用磁気発生装置３４を駆動させる。このため、頭部用磁気発生装置３３と脳天用磁気発生装置３４から発生された磁気が増幅されて、磁気の密度が濃くてムラがないため、効率よく患者Ｍの頭部Ｍａを治療することができる。
【００８６】
また、治療システム１は、治療台２上に仰向け等の状態で寝た患者Ｍの足部Ｍｅが、足部Ｍｅの裏側にある足部用磁気発生装置３５からの磁気と、足部Ｍｅに取り付けたイオンパッド４２からのマイナスイオンと、足部Ｍｅの上方にあるトンネル設置磁気発生装置３２からの磁気と、足部Ｍｅの下側にあるマイナスイオンマット４１及び治療台設置磁気発生装置３１からのマイナスイオン及び磁気と、による相乗効果によって、効率よく足部Ｍｅを治療することができる。
【００８７】
このように治療システム１は、磁気発生装置３と、マイナスイオン発生装置４と、から構成されている。磁気を発生させる磁気発生装置３は、治療台設置磁気発生装置３１と、トンネル設置磁気発生装置３２と、頭部用磁気発生装置３３と、脳天用磁気発生装置３４と、足部用磁気発生装置３５と、から構成されて患者Ｍの周囲全体に配置されている。マイナスイオンを発生させるマイナスイオン発生装置４は、患者Ｍの頭部Ｍａ、胸部Ｍｂ、腹部Ｍｃ、左右の手部Ｍｄ、及び左右の足部Ｍｅに配置されたイオンパッド４２と、患者Ｍの下面全体に敷設されたマイナスイオンマット４１と、から構成されている。このため、磁気発生装置３とマイナスイオン発生装置４とは、患者Ｍの略体全体に配置されているので、全身にムラ無く磁気とマイナスイオンとを高密度に与えることができるため、治療効果が向上される。
【００８８】
この場合、治療台２に載る患者Ｍは、導電性衣服９２１、導電性覆面９２２、導電性手袋９２３、及び導電性靴下９２４を被着した状態で、磁気発生装置３とマイナスイオン発生装置４とによる磁気とマイナスイオンとによる治療を受ける。導電性衣類９２は、フード９２１ａを有する導電性衣服９２１と、導電性覆面９２２と、導電性手袋９２３と、導電性靴下９２４とから成るので、患者Ｍの眼及び口以外の全身を覆っているため、マイナスイオン及び磁気が、患者Ｍの全身に注入されて吸収され易くなっている。このため、導電性衣類９２は、マイナスイオンと磁気の人体への吸収性を向上させることができる。
また、患者Ｍの頭部Ｍａは、非導電性の覆面９１３と、導電性覆面９２２とで眼及び口以外の顔全体を適宜な導電性部材で覆っていることによって、美容効果もある。また、非導電性の覆面９１３、導電性覆面９２２、及びフード９２１ａで患者Ｍの頭部Ｍａを覆うことによって、髪の毛を覆っているため、髪の毛にも治療効果がある。
【００８９】
また、治療システム１をする場合は、磁気発生装置３とマイナスイオン発生装置４とが同時に始動して、予め設定した時間後に同時に停止するが、患者Ｍの病状や、患者Ｍの要望等により、磁気発生装置３の磁気と、マイナスイオン発生装置４のマイナスイオンとを同時に発生させてから、マイナスイオンの方を磁気よりも長時間（例えば、一般的な設定時間（６０分）の一割（６分）程度）に亘って発生させてもよい。マイナスイオンの発生時間を磁気の発生時間よりも長くすることによって、治療効果を向上させることができる。特に、この治療方法は、酸化の激しい患者Ｍに有効である。
【００９０】
このようにして治療システム１で患者Ｍを治療することにより、次のような健康効果及び治療効果があることが確認されている。
磁気発生装置３の磁力によっては、血流血行促進、脳卒中の回復、心臓病の回復、糖尿病の回復、リウマチの回復、高血圧の回復、肺気腫の回復、自立神経失調症の改善、睡眠障害の改善があることが確認されている。また、マイナスイオン発生装置４は、不眠症、頭痛、肩こり、便秘、筋肉痛、神経痛、脳軟化症、顔面神経麻痺、関節炎、白内障、脳梗塞後遺症、各種ガンの治癒、肺気腫等に効果があることが確認されている。
【００９１】
[第２実施形態]
次に、本発明の第２実施形態に係る磁気マイナスイオン治療システム１Ａ（以下「治療システム１Ａ」という。）を図１０〜図１３を参照して説明する。なお、説明の便宜上、図１０に示す治療空間ＳＡの奥側を前、ドア２５Ａ側を後、ドア開口部２Ａａの幅方向を左右方向として説明する。なお、本発明は、患者Ｍが治療空間ＳＡ内に出入りすることが可能であれば、ドア２５Ａは無くてもよいが、以下、ドア２５Ａを備えた治療システム１Ａの一例を例に挙げて説明する。また、第１実施形態と同一なものは、同一符号を付記してその説明を省略する。
【００９２】
≪磁気マイナスイオン治療システム≫
図１０に示すように、磁気マイナスイオン治療システム１Ａ（治療システム１Ａ）は、床面１１Ａに対して上方方向に向けて並設された複数の磁気発生装置３Ａの磁気発生コイル３０から発生される磁気と、マイナスイオン発生装置４Ａ（イオンパッド４２）から発生されるマイナスイオンとを同時に放射させて患者Ｍを治療する装置である。第１実施形態の治療システム１が、治療台２上に寝ている患者Ｍを治療する横型の装置に対し、第２実施形態の治療システム１Ａは、立っている患者Ｍ、あるいは、運動器具５Ａを使用している患者Ｍを治療する縦型の装置である。
【００９３】
治療システム１Ａは、パネル２Ａに設けられた多数の磁気発生コイル３０を有する磁気発生装置３Ａと、マイナスイオン発生装置４Ａと、床面１１Ａに立設されたパネル２Ａと、パネル２Ａによって形成された治療空間ＳＡと、ドア開口部２Ａａに設けられたドア２５Ａと、治療空間ＳＡの上方に設けられた梁部材２６Ａと、治療空間ＳＡ内の床面１１Ａに配置された運動器具５Ａと、患者Ｍを支持する吊上装置６Ａと、治療時に患者Ｍが身に着ける治療用衣類９Ａと、患者Ｍに取り付けられる安全帯９３Ａと、磁気発生装置３Ａ及びマイナスイオン発生装置４Ａを制御する制御装置８Ａと、を備えている。
【００９４】
治療システム１Ａは、磁気発生装置３Ａから治療空間ＳＡに向けて放射される磁気と、患者Ｍに被着させたマイナスイオン発生装置４Ａから放射されるマイナスイオンとが、制御装置８Ａで同時に発生されて、治療空間ＳＡ内の患者Ｍを治療する装置である。治療システム１Ａで治療を行う場合は、少なくとも、患者Ｍが導電性の布で縫製した導電性衣類９２Ａを被着した状態で、治療空間ＳＡ内で電動式の運動器具５Ａを使うなどして運動を行いながら、磁気発生装置３Ａからの磁気と、マイナスイオン発生装置４Ａからのマイナスイオンとで予め設定した所定時間治療を行う。
【００９５】
≪床面≫
図１０に示す床面１１Ａは、治療システム１Ａが設置される部位であり、例えば、治療室内や、トレーニングルーム内等の平らな床の表面である。床面１１Ａ上には、パネル２Ａと、梁部材２６Ａと、制御装置８Ａ及び電位発生器４３が設けられたラック１２Ａと、が配置されている。治療空間ＳＡ内の床面１１Ａには、患者Ｍが運動を行う運動器具５Ａが配置されている。治療空間ＳＡ内の床面１１Ａ上には、絶縁シートを敷設してもよい。
【００９６】
≪治療空間≫
図１０に示すように、治療空間ＳＡは、患者Ｍに対して治療システム１Ａによって治療が行われる場所（治療室）である。また、この治療空間ＳＡは、患者Ｍが運動を行うことが可能な空間であり、患者Ｍが運動したり、運動器具５Ａを配置したりすることが可能な広さに形成されている。治療空間ＳＡは、パネル２Ａによって囲まれて形成されている。治療空間ＳＡ内の上方には、一方の側部パネル２３Ａの外側から治療空間ＳＡの上方を介して他方の側部パネル２４Ａの外側に延びる梁部材２６Ａと、パネル２Ａの外側から治療空間ＳＡ内の上部に延びるアーム６２Ａを有する吊上装置６Ａと、が配置されている。
【００９７】
なお、治療空間ＳＡの形状は、特に限定されない。治療空間ＳＡは、患者Ｍが治療を行いながら体を動かして運動を行ったり、リハビリを行ったりすることが可能な広さの空間であればよく、例えば、平面視して円形、長円形、Ｄ字状等の丸い形状や、正方形、菱形等の多角形でもよい。以下、治療空間ＳＡの一例として、図１０に示すような直方体から成る空間を例に挙げて説明する。
【００９８】
≪パネル≫
パネル２Ａは、治療空間ＳＡを形成するための部材であって、磁気発生装置３Ａの磁気発生コイル３０をパネル２Ａの内壁２Ａｂ全体に適宜な間隔を介して縦方向及び横方向に並設させるための部材でもある。パネル２Ａは、床面１１Ａに立設された壁状の厚板部材から成り、患者Ｍの身長よりも高く形成されている（例えば、高さ２〜３．５ｍ）。パネル２Ａは、磁気発生コイル３０を植設することが可能な厚さに形成されている。パネル２Ａの内壁面には、磁気発生装置３Ａが挿装される多数の磁気発生装置設置穴（図示省略）が形成されている。
パネル２Ａは、前部パネル２１Ａと、後部パネル２２Ａ（ドア２５Ａ）と、左右の側部パネル２３Ａ，２４Ａとを平面視して矩形に形成して成る。前部パネル２１Ａと後部パネル２２Ａと左右の側部パネル２３Ａ，２４Ａのうちのいずれかには、例えば、パネル２Ａで構成されて治療空間ＳＡ内に患者Ｍが出入りするためのドア開口部２Ａａが形成されて、ドア２５Ａによって開閉されるようになっている。パネル２Ａは、木材、非導電性の合成樹脂等の絶縁性の非磁性体によって形成されている。
【００９９】
なお、ドア開口部２Ａａは、患者Ｍが治療空間ＳＡに出入り可能であればよく、ドア開口部２Ａａの設置場所、形状、及び大きさは特に限定されない。以下、後部パネル２２Ａ全体を、側部パネル２４Ａの後端面に設けた蝶番２５Ａｂを中心に回動自在に配置された開き戸タイプのドア２５Ａとして兼用した場合を例に挙げて説明する。
【０１００】
前部パネル２１Ａは、運動器具５Ａの前側に配置されて、治療空間ＳＡの前側壁面を形成する部材である。前部パネル２１Ａの左右端部には、側部パネル２３Ａ，２４Ａが連結されている。
後部パネル２２Ａ（ドア２５Ａ）は、運動器具５Ａの後側（側部パネル２３Ａ，２４Ａの後端部間）に配置されて、治療空間ＳＡの後側壁面を形成する部材である。
側部パネル２３Ａ，２４Ａは、運動器具５Ａの左右側部側にそれぞれ配置されて、左右側壁面を形成する部材である。
【０１０１】
前部パネル２１Ａ、後部パネル２２Ａ（ドア２５Ａ）、及び、側部パネル２３Ａ，２４Ａには、多数のパネル設置磁気発生装置３１Ａ（磁気発生装置３Ａ）を内壁２Ａｂの縦方向及び横方向にそれぞれに複数並べた状態に挿設するための設置溝（図示省略）が形成されている。その設置溝は、磁気発生コイル３０の表面が、前部パネル２１Ａ及び側部パネル２３Ａ，２４Ａの内壁面に露出した面一の状態に没入される深さに形成されている。
【０１０２】
≪ドア≫
ドア２５Ａは、ドア開口部２Ａａを開閉するため開閉部材であり、ドア開口部２Ａａに開閉自在に設けられている。ドア２５Ａは、ドア開口部２Ａａを開閉であればよく、ヒンジ型（開き戸型）でも、スライド型（引き戸型）、引込み型、グライドスライドドア型、観音開き型、折戸型でもよい。以下、ヒンジ型のドア２５Ａを例に挙げて説明する。
【０１０３】
ドア２５Ａは、例えば、パネル２Ａと同じ厚さで同じ材質から成る矩形のドア本体２５Ａａと、ドア本体２５Ａａの側部パネル２４Ａ側の上下に設けられた蝶番２５Ａｂと、ドア本体２５Ａａの表裏中央部に設けられたドアノブ２５Ａｃと、ドア本体２５Ａａの側部パネル２４Ａ側の端面中央部に設けられて側部パネル２４Ａに設置されたドア係止部（図示省略）に係止するドアラッチ部と、ドア本体２５Ａａに挿装されたドア設置磁気発生装置３２Ａと、を備えている。
【０１０４】
≪磁気発生装置≫
磁気発生装置３Ａは、治療空間ＳＡ内の患者Ｍの身体全体に向けて磁気（交番磁気）を放射する装置である。磁気発生装置３Ａは、治療空間ＳＡの内壁２Ａｂ（パネル２Ａ及びドア２５Ａ）の磁気発生装置設置穴（図示省略）に、二つ重ねた環状の磁気発生コイル３０の表面を露出した状態で挿装されている。磁気発生装置３Ａは、治療空間ＳＡ内に立った状態の患者Ｍの正面側、背面側、左右側面側から患者Ｍの全身に向けて磁気を放射することができるように、治療空間ＳＡの内壁２Ａｂ全体のパネル２Ａの上端部から下端部に亘って多数配置されている。磁気発生装置３Ａは、パネル２Ａに設けられたパネル設置磁気発生装置３１Ａと、ドア２５Ａに設けられたドア設置磁気発生装置３２Ａと、を備えている。
【０１０５】
磁気発生装置３Ａは、第１実施形態の磁気発生装置３と同様に、磁気を発生するものであればよい。磁気発生装置３Ａは、コイルに交流電流を流して、Ｎ極とＳ極とが交互に入れ替わって磁力の強さが変化する交番磁場を形成する交流磁気治療機から成る。図１０に示す磁気発生装置３Ａは、第１実施形態と同様に、磁気を周囲１ｍ以上に遠くに飛ばすことが可能な多数の磁気発生用コイル３０を、治療空間ＳＡを形成するパネル２Ａ、及びドア２５Ａに組み付けて成る。各磁気発生装置３Ａは、同一であり、制御装置８Ａの磁気用タイマ部８１Ａに並列に接続されている。
【０１０６】
パネル設置磁気発生装置３１Ａは、治療空間ＳＡ内に立った状態の患者Ｍに対して正面側及び左右側面側から、患者Ｍの頭部側から足部側に亘って磁気を放射する装置である。パネル設置磁気発生装置３１Ａは、前部パネル２１Ａ、及び、側部パネル２３Ａ，２４Ａの治療空間ＳＡ側の内壁面全体に多数並設されている。パネル設置磁気発生装置３１Ａ及びドア設置磁気発生装置３２Ａは、ハーネス（図示省略）によって制御装置８Ａを介して電源に接続されている。
【０１０７】
ドア設置磁気発生装置３２Ａは、治療空間ＳＡ内に立った状態の患者Ｍに対して背面側から、患者Ｍの頭部側から足部側に亘って磁気を放射する装置である。ドア設置磁気発生装置３２Ａは、治療空間ＳＡの背面側の内壁２Ａｂを形成するドア２５Ａの治療空間ＳＡ側の内壁面全体に多数並設されている。
【０１０８】
≪マイナスイオン発生装置≫
第２実施形態のマイナスイオン発生装置４Ａは、図２に示す第１実施形態のマイナスイオン発生装置４と比較して、治療台２上に敷設されるマイナスイオンマット４１、クッション敷部材５１、絶縁マット５２、マイナスイオン調整用敷部材５３、及び、カバー用敷部材５４を備えていない点で相違し、その他は同一である。
マイナスイオン発生装置４Ａは、患者Ｍの複数箇所に被着される複数のイオンパッド４２と、治療の際に患者Ｍが着る治療用衣類９Ａと、マイナスイオンを発生させる電位発生器４３と、イオンパッド４２及び導電性衣類９２Ａと電位発生器４３とを接続する電線４４Ａと、イオンパッド４２を患者Ｍの体に保持させるためのベルト４５とを備えている。
【０１０９】
図１１に示すように、イオンパッド４２、電位発生器４３、電線４４Ａ及びベルト４５は、第１実施形態のイオンパッド４２に対して、後記する電線４４Ａの配線が相違するだけで、同一構造である。
電位発生器４３は、第１実施形態の電位発生器４３に対して、イオンパッド４２と、導電性衣類９２Ａとに電流を供給する点で相違し、構造は同一である。つまり、各電位発生器４３は、マイナスイオン用タイマ部４３ａと、出力調整部４３ｂと、調整スイッチ部４３ｃと、をそれぞれ備えている。
マイナスイオン用タイマ部４３ａは、マイナスイオン発生装置４Ａを駆動させる時間を、患者Ｍの病状や、治療しながら運動する時間や、希望する治療時間に合わせて適宜に調整スイッチ部４３ｃで調整できるようになっている。
【０１１０】
図１０に示すように、電線４４Ａは、電位発生器４３と、イオンパッド４２及び導電性衣類９２Ａと、をそれぞれ接続させるための絶縁被覆付リード線である。電線４４Ａは、一端側が、電位発生器４３に接続され、他端側が、チューブに入れた状態で梁部材２６Ａから垂下して、患者Ｍが着ている導電性衣類９２Ａの首部の後側に形成された電線挿通孔９２１Ａｂ（図１３参照）から導電性衣類９２Ａ内及び非導電性衣類９１Ａ内に配線されて、人体に被着された各イオンパッド４２に接続されている。電線４４Ａは、治療空間ＳＡ内の患者Ｍが絡まずに、かつ自由に動けるように、梁部材２６Ａから患者Ｍに被着させた導子４２ａ（図１１参照）までの長さを適宜な長さにして垂下し、患者Ｍが手、足を上げ下げしたり、胴体を捩じったり、上半身を起こしたり、立ち上がったりして体を動かすことが可能な長さにする。
【０１１１】
電線４４Ａは、例えば、６つの各イオンパッド４２に接続された６本の導子接続用コードと、導電性衣類９２Ａに接続された１本と、１本の接地用のアースコードとの合計８本から成る。図１３に示すように、８本のうちの７本の電線４４Ａは、患者Ｍが着る導電性衣服９２１Ａの首の部分等に形成された電線挿通孔９２１Ａｂから導電性衣服９２１Ａ内に挿入されて、各電線４４Ａの先端に接続された導子４２ａ（図１１参照）が、それぞれの患部に配置されるように配線されている。８本のうちの１本の電線４４Ａは、導電性衣服９２１Ａの肩部、首部の後部、あるいは、背中等に接続されている。
なお、梁部材２６Ａ（図１０参照）からイオンパッド４２までの間に配線される電線４４Ａは、その途中の適宜な箇所に不図示のプラグとコネクタとを設けて分離及び接続可能に配線してもよい。
【０１１２】
図１０に示す梁部材２６Ａは、一端が電位発生器４３に接続された電線４４Ａの他端側を、治療空間ＳＡの上方から患者Ｍが着ている導電性衣類９２Ａに接続するために、電線４４Ａを治療空間ＳＡの上方から垂下した状態に配線するための支持部材である。梁部材２６Ａは、側部パネル２３Ａ，２４Ａの左右外側から治療空間ＳＡの上方に亘って設けられている。梁部材２６Ａは、正面視して門型形状の梁部材本体２６Ａａと、梁部材本体２６Ａａの左右下端に前後方向に向けて形成された傾倒防止部２６Ａｂと、電線４４Ａを梁部材２６Ａに固定するための電線固定具（「配線固定具」ともいう）と、を備えている。
【０１１３】
≪運動器具≫
運動器具５Ａは、治療空間ＳＡ内の患者Ｍが体を動かすために使用する器具であり、その型式、形状、駆動方式等は特に限定されない。運動器具５Ａは、例えば、非導電性衣類９１Ａの上に導電性衣類９２Ａを着た患者Ｍが立った状態で足部Ｍｅを上下、前後、左右方向等に往復動させる電動式運動器具であり、市販の「ステッパー」等のトレーニングマシンから成る。運動器具５Ａは、電動駆動装置（図示省略）が内設された基台５１Ａと、電動駆動装置（図示省略）によって動く左右一対のペダル５２Ａと、基台５１Ａの前側に立設された支柱フレーム５３Ａと、支柱フレーム５３Ａから左右方向に延びる前側ハンドル部５４Ａと、前側ハンドル部５４Ａから後方に延びる横側ハンドル部５５Ａと、前側ハンドル部５４Ａに設けられた制御盤５６Ａと、を備えている。
【０１１４】
基台５１Ａは、治療空間ＳＡ内の床面１１Ａに配置された電動駆動装置（図示省略）収納用の平面視して矩形の略厚板形状の箱体である。
ペダル５２Ａは、患者Ｍが足を載せて運動するための板部材であり、電動駆動装置（図示省略）によって上下、前後、左右方向等に往復駆動されるようになっている。
【０１１５】
支柱フレーム５３Ａは、基台５１Ａの前端部中央から上方向に向けて立設された柱状の部材である。支柱フレーム５３Ａは、磁気発生装置３Ａから放射された磁気を当該支柱フレーム５３Ａでなるべく遮断しないようにするために、１本の柱状部材から成る。前側ハンドル部５４Ａは、支柱フレーム５３Ａの上端部から左右方向に延設されたフレーム部材である。横側ハンドル部５５Ａは、前側ハンドル部５４Ａの左右端部から後方に向けて延設されたフレーム部材である。
【０１１６】
制御盤５６Ａには、運動器具５Ａの電動駆動装置（図示省略）を駆動させるスタートスイッチと、運動器具５Ａの駆動時間を設定するタイマスイッチと、電動駆動装置（図示省略）の動きを設定するプログラム設定スイッチと、タイマ時間等を表示する表示部と、電動駆動装置（図示省略）を制御する運動器具制御部と、が設けられている。
治療システム１Ａは、電動式の運動器具５Ａで患者Ｍを運動させて血行を良好にさせながら磁気発生装置３Ａの磁気と、マイナスイオン発生装置４Ａのマイナスイオンとで、患者Ｍを治療することが望ましい。
【０１１７】
≪吊上装置≫
図１０に示す吊上装置６Ａは、治療空間ＳＡ内で動く患者Ｍを支持する装置であり、足腰等が不自由な患者Ｍや、歩行が困難な患者Ｍが立った状態で治療を行う際の補助器具である。このため、治療中に、立っていることができる患者Ｍの場合は不要であり、必要に応じて使用すればよい。吊上装置６Ａは、床面１１Ａに立設された支柱６１Ａと、支柱６１Ａの上端部に軸支されたアーム６２Ａと、アーム６２Ａから垂下する索体６３Ａと、患者Ｍに取り付けられた安全帯９３Ａと、索体６３Ａの先端に設けられた係止具６４Ａと、を備えている。吊上装置６Ａは、索体６３Ａを昇降させるための装置であり、電動式、油圧式、ばね式、手動式等の小型クレーンから成る。吊上装置６Ａは、患者Ｍに取り付けた安全帯９３Ａを引き上げ、引き下げ可能な装置であれば、形式、形状、駆動方式等は特に限定されず、床固定式、床移動式、スライドジブ式、リフター式、手動式等でもよい。
【０１１８】
支柱６１Ａは、床面１１Ａに対して垂直に配置された柱状の部材である。支柱６１Ａは、床面１１Ａに固定されたもの、あるいは、床面１１Ａに対して移動可能に配置されたものでもよい。また、支柱６１Ａは、アーム６２Ａを支えることが可能な柱状部材であれば、その形状等は特に限定されず、床に固定された一本柱、床に移動可能に設けられた柱、門型状の二本柱、あるいは、三本柱でもよい。支柱６１Ａには、例えば、アーム６２Ａを上下方向及び水平方向に動作させるための駆動装置（図示省略）が設けられている。
【０１１９】
アーム６２Ａは、支柱６１Ａの上端部から治療空間ＳＡの上方に向けて延設されたフレーム部材である。アーム６２Ａは、基端側が支柱６１Ａに対して回動可能に配置され、先端部に索体６３Ａが吊支されている。
索体６３Ａは、運動器具５Ａで運動している患者Ｍが運動している最中に転倒したり、足を運動器具５Ａ上から踏み外したりしたときに、患者Ｍを支持して保護するための部材である。索体６３Ａは、上端がアーム６２Ａの先端に連結され、下端が係止具６４Ａに連結されたチェーン、鎖、ロープ、あるいは、ワイヤから成る。
係止具６４Ａは、安全帯９３Ａに着脱自在に連結される部材であり、例えば、外れ防止用のロック機構を有するフック部材から成る。
【０１２０】
安全帯９３Ａは、腰部等に取り付けられて患者Ｍを吊上装置６Ａで吊上げて保持可能にするための略ベルト状の部材であり、索体６３Ａの下端に連結された係止具６４Ａが取り付けられる。安全帯９３Ａは、転倒時に腿、腰、肩等の複数部位に衝撃を分散して身体へのダメージを軽減して保護するハーネス型安全帯から成る。また、安全帯９３Ａは、胴ベルト型安全帯、一般高所作業用安全帯、巻取リール式安全帯等でもよい。
【０１２１】
≪治療用衣類≫
治療用衣類９Ａも、第１実施形態の治療用衣類９に対して、非導電性衣類９１Ａ、導電性衣類９２Ａ、及び覆面９１３Ａ，９２２Ａが、電線４４Ａを配線するための電線挿通孔９１３Ａｃ，９２１Ａｂ，９２２Ａｃを有する点で相違するだけで、その他は同一構造である。つまり、治療用衣類９Ａは、図１１に示すように、患者Ｍが治療時に身に着ける衣類であり、地肌側に身に付ける非導電性衣類９１Ａと、非導電性衣類９１Ａの上に身に付けてマイナスイオンが供給される導電性衣類９２Ａと、から成る。このため、患者Ｍは、治療時に、導電性衣類９２Ａで全身を覆った状態で治療が行われる。
【０１２２】
＜非導電性衣類＞
非導電性衣類９１Ａは、第１実施形態の非導電性衣類９１に対して、覆面９１３Ａが電線４４Ａを挿通する電線挿通孔９１３Ａｃを有する点で相違し、その他は同一である。つまり、非導電性衣類９１Ａは、第１実施形態の非導電性衣類９１と同一の長袖下着９１１、股引状下着９１２、手袋９１４、靴下９１５と、覆面９１３Ａとから構成されている。
覆面９１３Ａは、患者Ｍの顔及び頭部Ｍａを覆うと共に、患者Ｍの首、及び、左右の肩を覆う肩宛部９１３Ａｂを有する略袋状の布部材である。覆面９１３Ａは、患者Ｍの左右の目と口とに合わせて形成し開口９１３Ａａと、電線４４Ａを挿通して地肌側に配線するための電線挿通孔９１３Ａｃと、を有している。覆面９１３Ａは、例えば、木綿製のタオル地の布で形成されている。覆面９１３Ａの開口９１３Ａａの大きさは、人の目や口と同程度の大きさか、あるいは、人の目や口の大きさよりも小さく形成したものでもよい。
電線挿通孔９１３Ａｃは、イオンパッド４２に接続される電線４４Ａを患者Ｍの身体に配線するための孔であり、患者Ｍの首の後部側の覆面９１３Ａの部位に形成されている。
【０１２３】
＜導電性衣類＞
図１１に示す導電性衣類９２Ａは、第１実施形態の導電性衣類９２に対して、導電性衣類９２Ａが電線４４Ａを挿通する電線挿通孔９２１Ａｂと、電線４４Ａが接続される９２Ａａと、を有すると共に、導電性覆面９２２Ａが電線４４Ａを挿通する電線挿通孔９２２Ａｃを有し、安全帯９３Ａを使用する点で相違し、その他は同一である（図９参照）。つまり、導電性衣類９２Ａは、第１実施形態の導電性衣類９２と同一の導電性手袋９２３及び導電性靴下９２４と、導電性衣服９２１Ａと、導電性覆面９２２Ａと、安全帯９３Ａと、から構成されている（図９参照）。
【０１２４】
導電性衣服９２１Ａは、非導電性衣類９１Ａの覆面９１３Ａの電線挿通孔９１３Ａｃに合致して配置される導電性覆面９２２Ａの電線挿通孔９２２Ａｃ、及び、導電性衣服９２１Ａのフード９２１Ａａの基端部に形成された電線挿通孔９２１Ａｂと、導電性衣服９２１Ａの肩部、首部の後部、背中部等に取り付けられた接続端子９２Ａａと、を備えている。
接続端子９２Ａａは、導電性衣服９２１Ａに配置されている通電性糸に、導電性の金属から成るホック、あるいは、止めピンを接続した状態に取り付けられて成る。接続端子９２Ａａには、一端が電位発生器４３に接続された電線４４Ａの他端が接続されている。
接続端子９２Ａａに接続された電線４４Ａは、接続端子９２Ａａ側がマイナス側、制御装置８Ａ側がプラス側になるように接続されている。
導電性覆面９２２Ａは、前記したように、第１実施形態の導電性覆面９２２に、電線挿通孔９２２Ａｃを形成したものである。
【０１２５】
≪第２実施形態の作用≫
次に、図１０〜図１３を参照しながら本発明の第２実施形態に係る治療システム１Ａの作用を工程順に説明する。なお、その工程順は一例であり、これに限定されない。
【０１２６】
まず、患者Ｍは、治療システム１Ａでの治療を開始する前に、まず、図１１〜図１３に示す非通電性の長袖下着９１１と、股引状下着９１２等の下着と皮膚に密着した状態に被着し、その上に導電性衣服９２１Ａを密着するように被着する。
続いて、図１２（ｂ）に示すように、患者Ｍの頭部Ｍａ、首、及び肩部に非導電性の覆面９１３Ａを被せ、さらにその上に導電性覆面９２２Ａを被せて頭部Ｍａ、首、及び肩部を二重に覆って眼と口のみを露出させる。その頭部Ｍａに導電性衣服９２１Ａのフード９２１Ａａを被せる。すると、患者Ｍの頭部Ｍａは、図１２（ａ）に示す状態になる。
【０１２７】
次に、図１１に示すように、患者Ｍの左右の手部Ｍｄには、それぞれ非導電性の手袋９１４を被せ、さらにその上に導電性手袋９２３を被せる。患者Ｍの左右の足部Ｍｅには、それぞれ非導電性の靴下９１５を被せ、さらにその上に導電性靴下９２４を被せる。
患者Ｍは、このようにして全部の非導電性衣類９１Ａ及び導電性衣類９２Ａを身に着けると、図１２（ａ）に示すように、眼と口以外は肌が露出しないように非導電性衣類９１Ａと導電性衣類９２Ａとで全身が覆われた状態になる。この場合、患者Ｍは、電気が接続端子９２Ａａから導電性衣服９２１Ａを介して導電性覆面９２２Ａ、導電性手袋９２３、及び、導電性靴下９２４にそれぞれ導通する状態になるように、導電性衣服９２１Ａの端部に対して導電性覆面９２２Ａ、導電性手袋９２３、及び、導電性靴下９２４の一部を重ねた状態に被着する。
次に、患者Ｍは、図１０に示すように、ドア２５Ａを開けて、ドア開口部２Ａａから治療空間ＳＡ内に入り込む。
【０１２８】
続いて、図１１に示すように、各イオンパッド４２の導子４２ａを、導電性導子カバー４２ｂ内に入れると共に、導子４２ａを入れた状態で導電性導子カバー４２ｂを、通電調整用導子カバー４２ｃ内に入れる。イオンパッド４２を、導電性衣服９２１Ａ及び長袖下着９１１内の患者Ｍの胸部Ｍｂと、丹田、臍の周辺等の腹部Ｍｃと、にそれぞれ被着させる。次に、イオンパッド４２を、左右の手袋９１４及び導電性手袋９２３内にそれぞれ挿入させて掌等の手部Ｍｄに被着させる。また、イオンパッド４２を、左右の導電性靴下９２４及び靴下９１５内にそれぞれ挿入させて足の裏等の足部Ｍｅにそれぞれ被着させる。手部Ｍｄ及び足部Ｍｅにそれぞれ被着させたイオンパッド４２を、ベルト４５で手部Ｍｄ及び足部Ｍｅに固定させる。
次に、安全帯９３Ａが必要な足腰等の不自由な患者Ｍや、歩行が困難な患者Ｍ等を治療する場合は、安全帯９３Ａを患者Ｍに取り付け、吊上装置６Ａの係止具６４Ａを安全帯９３Ａに連結する。
これにより、治療システム１Ａで患者Ｍを治療する前に行う準備工程である患者Ｍに身に付けさせる非導電性衣類９１Ａ及び導電性衣類９２Ａの被着工程と、患者Ｍに付けるイオンパッド４２の取付工程と、安全帯９３Ａの取付工程と、が終了する。
【０１２９】
なお、イオンパッド４２（通電調整用導子カバー４２ｃ）は、所望とする治療したい箇所の肌に密着させて取り付ければよく、図１１に示す箇所に限定されるものではない。例えば、イオンパッド４２が６個ある場合は、６個あるうちの４個を人体の端部である左右の手部Ｍｄと、左右の足部Ｍｅとの４箇所に取り付けて、残りの２個を胸部Ｍｂ及び腹部Ｍｃ等の患者Ｍの希望する箇所に取り付けることで、効果的に治療を行うことができる。
【０１３０】
次に、制御装置８Ａのスイッチ部８２ＡをＯＮにすると共に、磁気用タイマ部８１Ａ及びマイナスイオン用タイマ部４３ａを操作して、磁気発生装置３Ａ及びマイナスイオン発生装置４Ａの駆動時間を、患者Ｍの病状等に合わせた適切な治療時間や、患者Ｍ等の希望する治療時間（例えば、３０分から６０分程度）にセットする。
【０１３１】
スイッチ部８２ＡのスタートスイッチをＯＮすると、磁気用タイマ部８１Ａ及びマイナスイオン用タイマ部４３ａが同時に作動すると共に、磁気発生装置３Ａとマイナスイオン発生装置４Ａが始動する。すると、治療システム１Ａは、磁気発生装置３Ａの磁気発生コイル３０の磁気と、マイナスイオン発生装置４Ａのマイナスイオンとが同時に発生し始める。
【０１３２】
次に、患者Ｍは、運動器具５Ａ上に載り、制御盤５６Ａのタイマスイッチを操作して、運動器具５Ａの駆動時間を磁気発生装置３Ａ及びマイナスイオン発生装置４Ａの駆動時間と同じ時間にセットする。その後、患者Ｍは、制御盤５６Ａのスタートスイッチを操作する。すると、患者Ｍが載っている運動器具５Ａの左右のペダル５２Ａが動き出す。患者Ｍは、足部Ｍｅが運動器具５Ａで強制的に動かされることで、血行が良くなる。
【０１３３】
磁気発生装置３Ａ（パネル設置磁気発生装置３１Ａ及びドア設置磁気発生装置３２Ａ）からは、患者Ｍの前面、左右側面、及び背面の全周方向から全身に向けて磁気が放射される。この場合、多数の磁気発生装置３Ａは、二重構造の環状の空芯コイルを有する磁気発生用コイル３０から成るので、強い磁気を１ｍ以上遠くに飛ばすことができるので、患者Ｍの全身に磁気を注入させることができる。これと同時に、制御装置８Ａから電位発生器４３に電流が供給されると、電位発生器４３で生成されたマイナスイオンが、各イオンパッド４２から患者Ｍの胸部Ｍｂ、腹部Ｍｃ、左右の手部Ｍｄ及び足部Ｍｅ内に注入される。また、電位発生器４３で生成されたマイナスイオンは、患者Ｍの全身を覆った導電性衣類９２Ａ（導電性衣服９２１Ａ、導電性覆面９２２Ａ、導電性手袋９２３、及び導電性靴下９２４）から全身に注入される。
【０１３４】
このように、治療システム１Ａは、患者Ｍを運動器具５Ａで動かして血行をよくしながら磁気発生装置３Ａから発生される磁気と、マイナスイオン発生装置４Ａ（患者Ｍの複数箇所に取り付けたイオンパッド４２、及び、全身を覆った導電性衣類９２Ａ）から放射されるマイナスイオンとを、同時に発生させて患者Ｍを治療することにより、相乗効果がさらに向上されるため、従来の磁気治療装置、及び、マイナスイオン治療装置よりも、治療効果を倍増以上に発揮させることができる。また、治療システム１Ａは、患者Ｍが治療中に傾倒しそうになっても、安全帯９３Ａと吊上装置６Ａとで支えることができるので、足腰等の不自由な患者Ｍや、歩行が困難な患者Ｍ等に対する治療装置としても優れている。
特に、治療システム１Ａは、怪我をした箇所の回復力（自然治癒力）を高めたり、リハビリ的な効果をさらに向上させたりすることができる。また、肩こり、筋肉疲労等の早期回復に効果があることが確認されている。
治療システム１Ａは、磁気発生装置３Ａが患者Ｍの上端部周辺から下端部周辺に亘る周囲全体に配置されていることで、患者Ｍの略体全体に向けて磁気を全身にムラ無く高密度に与えることができるため、治療効果をさらに向上させることができる。
【０１３５】
この場合、治療空間ＳＡ内の患者Ｍは、導電性衣服９２１Ａ、導電性覆面９２２Ａ、導電性手袋９２３、及び導電性靴下９２４を被着した状態で、磁気発生装置３Ａの磁気を受けながら、電位発生器４３で生成されてイオンパッド４２及び導電性衣類９２Ａから放出されたマイナスイオンが体内に注入されて治療される。導電性衣類９２Ａは、フード９２１Ａａを有する導電性衣服９２１Ａと、導電性覆面９２２Ａと、導電性手袋９２３と、導電性靴下９２４とから成るので、患者Ｍの眼及び口以外の全身を覆っているため、マイナスイオン及び磁気が、患者Ｍの全身に注入されて吸収され易くなっている。
また、非導電性衣類９１Ａ及び導電性衣類９２Ａは、伸縮性を有しているので、患者Ｍの皮膚に密着して身体にフィットした状態に患者Ｍに身に着けられているため、マイナスイオンが導電性衣服９２１Ａから身体内に入り易くなっている。その結果、導電性衣類９２Ａは、マイナスイオンと磁気の人体への吸収性を向上させることができる。また、患者Ｍの頭部Ｍａは、非導電性の覆面９１３Ａと、導電性覆面９２２Ａとで眼及び口以外の顔全体を適宜な導電性部材で覆っていることにより、美容効果もあることが確認されている。また、非導電性の覆面９１３Ａ、導電性覆面９２２Ａ、及び、フード９２１Ａａで患者Ｍの頭部Ｍａを覆うことにより、髪の毛を覆っているため、髪の毛にも治療効果がある。
このようにして治療システム１Ａで患者Ｍを治療することにより、第１実施形態と同様な健康効果及び治療効果があることが確認されている。
【０１３６】
≪変形例≫
なお、本発明は、第１及び第２実施形態に限定されるものではなく、その技術的思想の範囲内で種々の改造及び変更が可能であり、本発明はこれら改造及び変更された発明にも及ぶことは勿論である。
【０１３７】
例えば、磁気発生用コイル３０は、第１及び第２実施形態では環状に巻回した空芯コイルを二段に重ねて配置した場合を説明したが、これに限定されず、さらに、三段、四段、五段等に重ねて配置したものであってもよく、適宜変更しても構わない。
【０１３８】
また、絶縁マット５２とマイナスイオンマット４１とは、第１実施形態では別体の場合を説明したが、接着剤等で接着するなどして一体化したものでもよい。
また、絶縁マット５２とマイナスイオンマット４１とを一体にしたマット、あるいは、それぞれが別体のマットは、袋状のシーツやフラットシーツ等のシーツで覆ってもよい。
【０１３９】
また、イオンパッド４２は、前記シーツを同じ生地の布を袋状に縫製して成るカバー部材で覆ってもよい。このようにすれば、イオンパッド４２が患者Ｍの皮膚に直接触れるのを防止して、ピリピリ感が無い適度な感触にすることができる。
【０１４０】
第１実施形態では、患者Ｍの顔に、左右の眼と口とを露出させる開口９１３ａを有する覆面９１３及び導電性覆面９２２が被せて、眼及び口以外の全身を非導電性衣類９１と、導電性衣類９２とで覆う場合を説明したが、患者Ｍの全身を完全に覆ってもよい。
その場合、眼には、織目の大きい木綿製等の非導電性のガーゼを介在させて、織目の大きい導電性の繊維で縫製したアイマスクで両眼を覆う。
また、口及び鼻には、織目の大きい木綿製等の非導電性のガーゼを介在させて、隙間なく織目の大きい導電性の繊維で縫製したマスクで覆う。このように、眼、口及び鼻にも非導電性の繊維で縫製したガーゼを当てて、その上に導電性の繊維で縫製したアイマスク及びマスクで、隙間なく覆うことで、患者Ｍの全身を漏れることなく非導電性衣類９１と導電性衣類９２とで密着した状態で隙間なく全身を覆うことができる。このため、マイナスイオン及び磁気をさらに身体内に入り易くすることができる。
特に、眼、口及び鼻を非導電性衣類９１と導電性衣類９２とで密着させた状態で覆ってマイナスイオン及び磁気を供給することにより、マイナスイオンが眼、口及び鼻にも入るため、眼、口、鼻及び気管支の病気や、皮膚の病気や、美容に対して効果がある。
【０１４１】
また、図１及び図４に示す足部用磁気発生装置３５を保持する足部用磁気発生装置支持部材２７は、治療台２上に、前後方向に移動可能に設けてもよい。例えば、足部用磁気発生装置３５は、ゴムロープや、樹脂製ばね等の弾性部材を足部用磁気発生装置支持部材２７と枠板２８との間に介在させることによって、前側に自動戻りするようにし、患者Ｍが足部Ｍｅで押圧すれば、身長に合わせて後側に位置をズラせるようにしてもよい。
また、足部用磁気発生装置３５及び足部用磁気発生装置支持部材２７は、ロープや紐を取り受けて、患者Ｍがロープや紐を引くことで、前方向（患者Ｍ側）に移動して位置調整可能にしてもよい。
【０１４２】
また、図１に示す構造物本体６ｃ、基台２２、脳天用磁気発生装置支持部材２６、及び、足部用磁気発生装置支持部材２７は、非導電性の合成樹脂で形成したものでもよい。
また、トンネル状構造物６は、アーチ状分割体６ａを上下方向あるいは前後方向に移動自在にしてもよい。アーチ状分割体６ａを上下方向に移送自在にする場合、トンネル状構造物６は、例えば、アーチ状分割体６ａをクレーン等の昇降装置で上下動させて治療台２上に載置する。アーチ状分割体６ａを前後方向に移送自在にする場合、各トンネル状構造物６は、治療台２の左右端部にレール部を設けて、そのレール部上にアーチ状分割体６ａを摺動自在に載置する。
【０１４３】
例えば、第２実施形態の治療システム１Ａは、磁気発生装置３Ａとマイナスイオン発生装置４Ａとを同時に始動させると共に、運動器具５Ａを駆動させて患者Ｍを動かしながら治療し、予め設定した時間後に同時に停止するが、患者Ｍの病状や、患者Ｍの要望等によって、それぞれの駆動時間を適宜変更してもよい。
例えば、治療システム１Ａは、磁気発生装置３Ａの磁気と、マイナスイオン発生装置４Ａのマイナスイオンとを同時に発生させると共に、運動器具５Ａを始動させてから、マイナスイオンの方を磁気よりも長時間（例えば、一般的な設定時間（６０分）の一割（６分）程度）に亘って発生させてもよい。マイナスイオンの発生時間を磁気の発生時間よりも長くした場合は、特に、酸化の激しい患者Ｍに有効である。
【０１４４】
また、第１及び第２実施形態のイオンパッド４２は、帯状に長く形成した袋状の導電性のカバー部材内に、２〜３枚の導子４２ａを長手方向に連続して配置したベルト状のものでもよい。また、イオンパッド４２は、風呂敷状の導電性カバー部材の上に２〜３枚の導子４２ａを長手方向に連続配置して、４つ折りにして包んで帯状にしたものでもよい。
イオンパッド４２は、このようにベルト状あるいは帯状にして、患者Ｍの首、腰、胴体、足首、手首等に巻き付けた状態で取り付けてもよい。また、そのベルト状あるいは帯状のイオンパッド４２は、伸縮自在な布製の伸縮バンドから成る市販の導子でもよい。
【０１４５】
第２実施形態では、患者Ｍの顔に、左右の眼と口とを露出させる開口９１３Ａａを有する覆面９１３Ａ及び導電性覆面９２２Ａを被せて、眼及び口以外の全身を非導電性衣類９１Ａと、導電性衣類９２Ａとで覆う場合を説明したが、患者Ｍの全身を完全に覆ってもよい。その場合、眼には、織目の大きい木綿製等の非導電性のガーゼを介在させて、織目の大きい導電性の繊維で縫製したアイマスクで両眼を覆う。
【０１４６】
また、口及び鼻には、織目の大きい木綿製等の非導電性のガーゼを介在させて、隙間なく織目の大きい導電性の繊維で縫製したマスクで覆ってもよい。マスクは、鼻及び口に隙間なく密着するように顔の形状にフィットしたものを使用する。
このように、眼、口及び鼻にも非導電性の繊維で縫製したガーゼを当てて、その上に導電性の繊維で縫製したアイマスク及びマスクで隙間なく覆うことにより、非導電性衣類９１Ａと導電性衣類９２Ａとで密着した状態で漏れることなく全身を覆うことができる。このため、マイナスイオン及び磁気をさらに身体内に入り易くすることができる。
この場合は、眼、口及び鼻を非導電性衣類９１Ａと導電性衣類９２Ａとで密着させた状態で覆ってマイナスイオン及び磁気を供給することで、マイナスイオンが眼、口及び鼻にも入るため、眼、口、鼻及び気管支の病気や、皮膚の病気や、美容に対して効果がある。
【０１４７】
また、第１、第２実施形態及び前記変形例では、患者Ｍが導電性衣類９２，９２Ａ等から成る専用の治療用衣類９，９Ａを身に付けて治療する場合を例に挙げて説明したが、本発明はこれに限定されるものではない。つまり、磁気マイナスイオン治療システム１、及び、縦型の磁気マイナスイオン治療システム１Ａは、専用の治療用衣類９，９Ａを身に付けていない一般的な衣類を身に付けた患者Ｍであっても、同様な効果が得られることが実験で確認されている。
【０１４８】
また、治療システム１は、治療を行う際に、パルス磁気を発生する脈動磁場発生器、変動磁場発生器などの市販の他の電気磁気治療器を併用してもよい。治療システム１に他の電気磁気治療器を併用して治療する場合は、患者Ｍの頭部Ｍａ、胸部Ｍｂ、腹部Ｍｃ、左右の手部Ｍｄ、左右の足部Ｍｅ等に、併用する磁気発生器を取り付けて同時に使用する。このように他の電気磁気治療器を併用することで、治療効果を向上させることができる。
また、治療システム１は、超短波治療器を併用してもよい。この場合、超短波治療器は、導子を患者Ｍの患部の前後、あるいは、左右の対称な二箇所に貼って電波を流すことにより、縮んだ血管を拡げて血行をよくしたり、結石を分解して尿等の流れを良好にする。
【０１４９】
また、運動器具５Ａは、電動式の「ステッパー」を例に挙げて説明したが、手動式でも、油圧駆動式や、空気圧駆動式等の他の駆動源を使用したものでもよい。また、運動器具５Ａは、患者Ｍが走行したり、歩行したりする「ランニングマシーン」や、「ウォーキングマシン」や、「歩行訓練装置」や、「起立訓練装置」等の各種のトレーニング装置でもよい。運動器具５Ａは、患者Ｍが希望する運動や、体力に合った装置を使用すればよい。
また、運動器具５Ａは、患者Ｍが座った状態で運動する自転車形状のエクササイズバイクや、患者Ｍが椅子等に座った状態でペダルをこぐ「足こぎローラーペダルエクササイズ」等でもよい。
【０１５０】
また、第２実施形態では、治療空間ＳＡ内に運動器具５Ａを配置した場合を説明したが、立って運動をすることができる体力がある患者Ｍが使用する場合、運動器具５Ａは無くてもよい。この場合は、治療空間ＳＡ内を体操、ダンス、バレエ、スポーツ等の運動ができる広さに形成し、治療空間ＳＡ内に床面１１Ａ上でその運動を行いながら磁気発生装置３Ａの磁気と、マイナスイオン発生装置４Ａからのマイナスイオンとで治療を行う。
【０１５１】
その場合、治療空間ＳＡ内において、上部が梁部材２６Ａに支持された電線４４Ａは、例えば、梁部材２６Ａの下面に固定したカーテンレール状部材に対して摺動する複数のランナ（吊金具）のリング部に電線４４Ａを挿入して吊支し、梁部材２６Ａに沿って左右方向に摺動するように配線してもよい。電線４４Ａは、そのように配線すれば、患者Ｍが左右に動けば、梁部材２６Ａから垂下した電線４４Ａの垂下部位も、患者Ｍに引っ張られて追随して左右方向に移動するので、絡むことが無く、患者Ｍが運動し易い状態にできる。
また、吊上装置６Ａも、索体６３Ａの上端部を梁部材２６Ａのカーテンレール状部材に対して摺動自在に係止し、梁部材２６Ａに沿って摺動自在に吊支してもよい。
【０１５２】
また、後部パネル２２Ａとドア２５Ａとは、互いに別体に形成してもよい。この場合は、治療空間ＳＡの後側の壁部全体を後部パネル２２Ａとドア２５Ａとで形成し、ドア２５Ａを後部パネル２２Ａに対して開閉自在に配置する。また、ドア２５Ａ及びドア開口部２Ａａは、治療空間ＳＡを囲むパネル２Ａの少なくとも一箇所にあればよい。また、ドア２５Ａは、４つのパネル２Ａ中の１つを摺動可能にしたスライドドアでもよい。
【０１５３】
また、図１０に示すドア２５Ａは、少なくとも治療空間ＳＡに出入りするためのドア開口部２Ａａがパネル２Ａにあれば、無くてもよい。つまり、パネル２Ａは、少なくとも前後左右の三方向に壁面を形成する部材（前部パネル２１Ａ及び側部パネル２３Ａ，２４Ａ）があれば、後部パネル２２Ａ（ドア２５Ａ）は無くてもよい。換言すると、治療空間ＳＡは、磁気発生装置３Ａが設けられたパネル２Ａを平面視してＣ字状、コ字状、Ｕ字状、Ｖ字状等の形状に配置し、出入口が常に開放状態のブースや小室や小屋でもよい。
【０１５４】
また、パネル２Ａは、壁パネルに覗き窓や、窓ガラス等を設けたり、パネル２Ａ自体を透明部材で形成して、パネル２Ａの外側から治療空間ＳＡ内を視認可能にしてもよい。
また、治療空間ＳＡは、パネル２Ａで形成されることに限定されず、部屋（治療室）と部屋とを仕切る壁や、部屋内を区画する間仕切り状の衝立や、折畳み式の屏風や、治療空間ＳＡを囲む塀、フェンス状部材等に、磁気発生装置３Ａを設けて形成してもよい。
また、各パネル２Ａ、梁部材２６Ａ、及び、吊上装置６Ａには、それぞれを外側から保持するバックステイ等の倒れ防止部材を設けて、さらに、倒れ難い構造にしてもよい。
【符号の説明】
【０１５５】
１，１Ａ  磁気マイナスイオン治療システム（治療システム）
２      治療台
２Ａ    パネル
３，３Ａ  磁気発生装置
４，４Ａ  マイナスイオン発生装置
５Ａ    運動器具
６      トンネル状構造物
６Ａ    吊上装置
６ａ    アーチ状分割体
６ｂ    入口
６ｊ    ヒンジ部
７      中空体
７ａ    外周面
７ｂ    開口部
９，９Ａ  治療用衣類
１１    床面
２６Ａ  梁部材
３０    磁気発生用コイル
３２    トンネル設置磁気発生装置（磁気発生装置）
４２    イオンパッド
４３    電位発生器
４４，４４Ａ  電線
６２Ａ  アーム
６３Ａ  索体
６４Ａ  係止具
９１，９１Ａ  非導電性衣類
９２，９２Ａ  導電性衣類
Ｍ      患者
Ｍａ    頭部
Ｍｅ    足部
ＳＡ    治療空間
【図１】
2018050720.tif 000003
【図２】
2018050720.tif 000004
【図３】
2018050720.tif 000005
【図４】
2018050720.tif 000006
【図５】
2018050720.tif 000007
【図６】
2018050720.tif 000008
【図７】
2018050720.tif 000009
【図８】
2018050720.tif 000010
【図９】
2018050720.tif 000011
【図１０】
2018050720.tif 000012
【図１１】
2018050720.tif 000013
【図１２】
2018050720.tif 000014
【図１３】
2018050720.tif 000015